(57)【要約】移動端末機と、移動端末機へサービスを提供するサービング基地局と、移動端末機がハンドオーバーするターゲット基地局とを含む広帯域無線接続通信システムにおいて、サービス遅延を最小化することができるハンドオーバーを遂行する方法は、サービング基地局からターゲット基地局へのハンドオーバーが必要であることを検出するステップと、ターゲット基地局へのハンドオーバーを遂行する前に、ハンドオーバープロセスの一部を遂行することをサービング基地局へ要求するステップとを具備する。
2007536786.tif 000002
【特許請求の範囲】
【請求項１】
移動端末機と、前記移動端末機へサービスを提供するサービング基地局と、前記移動端末機がハンドオーバーするターゲット基地局とを含む広帯域無線接続通信システムにおいて、サービス遅延を最小化することができるハンドオーバーを遂行する方法であって、
前記サービング基地局から前記ターゲット基地局へのハンドオーバーが必要であることを検出するステップと、
前記ターゲット基地局へのハンドオーバーを遂行する前に、ハンドオーバープロセスの一部を遂行することを前記サービング基地局へ要求するステップと
を具備することを特徴とする方法。
【請求項２】
前記サービング基地局から前記ハンドオーバープロセスの一部を遂行する時区間に関連した情報を含む前記要求に対する応答メッセージを受信するステップと、
前記時区間に関連した情報に対応して、前記ハンドオーバープロセスの一部を遂行するステップと
をさらに具備することを特徴とする請求項１記載の方法。
【請求項３】
前記ハンドオーバープロセスの一部は、前記ターゲット基地局から割り当てられた非競合基盤リソースを使用して遂行されることを特徴とする請求項２記載の方法。
【請求項４】
移動端末機と、前記移動端末機へサービスを提供するサービング基地局と、前記移動端末機がハンドオーバーするターゲット基地局とを含む広帯域無線接続通信システムにおいて、サービス遅延を最小化することができるハンドオーバーを遂行する方法であって、
前記サービング基地局から前記ターゲット基地局へのハンドオーバーが要求されると、ハンドオーバープロセスの一部が前記ハンドオーバーの前に遂行されることを通知する要求を、前記移動端末機から受信するステップと、
前記ハンドオーバープロセスの一部を遂行する時区間に関連した情報を含んでいると共に、前記要求に応じた応答メッセージを送信するステップと
を具備することを特徴とする方法。
【請求項５】
前記時区間の間に、前記移動端末機が前記ターゲット基地局へ前記ハンドオーバープロセスの一部を遂行することを通知するメッセージを送信するステップをさらに具備することを特徴とする請求項４記載の方法。
【請求項６】
前記移動端末機に提供可能なサービスに関連した情報を含む通知応答メッセージを、前記ターゲット基地局から受信するステップをさらに具備することを特徴とする請求項５記載の方法。
【請求項７】
前記通知応答メッセージは、前記応答メッセージに含まれている前記移動端末機に提供可能なサービスに関連した情報に基づくことを特徴とする請求項６記載の方法。
【請求項８】
移動端末機と、前記移動端末機へサービスを提供するサービング基地局と、前記移動端末機がハンドオーバーするターゲット基地局とを含む広帯域無線接続通信システムにおいて、サービス遅延を最小化することができるハンドオーバーを遂行する方法であって、
前記移動端末機が前記サービング基地局から前記ターゲット基地局へハンドオーバーすべき必要がある場合、前記ハンドオーバープロセスの一部が前記ハンドオーバーの前に遂行されることを通知するメッセージを、前記サービング基地局から受信するステップと、
前記移動端末機に提供可能なサービスに関連した情報を含む通知応答メッセージを送信するステップと
を具備することを特徴とする方法。
【請求項９】
前記メッセージは、前記移動端末機が前記ハンドオーバープロセスの一部を遂行する時区間に関連した情報を含むことを特徴とする請求項８記載の方法。
【請求項１０】
前記移動端末機が前記ハンドオーバープロセスの一部を前記時区間の間に遂行するように、非競合基盤リソースを割り当てるステップをさらに具備することを特徴とする請求項９記載の方法。
【請求項１１】
前記時区間の間に、前記割り当てられた非競合基盤リソースを使用して、前記移動端末機と前記ハンドオーバープロセスの一部を遂行するステップをさらに具備することを特徴とする請求項１０記載の方法。
【請求項１２】
移動端末機と、前記移動端末機へサービスを提供するサービング基地局と、前記移動端末機がハンドオーバーするターゲット基地局とを含む広帯域無線接続通信システムにおいて、サービス遅延を最小化することができるハンドオーバーを遂行する方法であって、
前記移動端末機がハンドオーバープロセスの一部を前記ターゲット基地局へのハンドオーバーの前に遂行することを、前記移動端末機から前記サービング基地局へ要求するステップと、
前記サービング基地局が前記移動端末機からの要求を受信すると、前記ハンドオーバープロセスの一部を遂行する時区間に関連した情報を含んでいると共に、前記移動端末機が前記ハンドオーバーの前に前記ハンドオーバープロセスの一部を遂行することを通知する通知メッセージを、前記サービング基地局から前記ターゲット基地局へ送信するステップと、
前記移動端末機に提供可能なサービスに関連した情報を含む通知応答メッセージを、前記ターゲット基地局から前記サービング基地局へ送信するステップと、
前記サービング基地局が、前記移動端末機の要求に応じて、前記時区間に関連した情報と、前記通知応答メッセージに含まれている前記移動端末機に提供可能なサービスに関連した情報とを含む応答メッセージを送信するステップと、
を含むことを特徴とする方法。
【請求項１３】
前記ターゲット基地局は、前記移動端末機が前記ハンドオーバーの前に前記ハンドオーバープロセスの一部を遂行する旨の通知を受けた後、前記移動端末機が、前記時区間の間に、前記ハンドオーバープロセスの一部を前記ハンドオーバーの前に遂行するようにするために、非競合基盤リソースを割り当てるステップをさらに具備することを特徴とする請求項１２記載の方法。
【請求項１４】
前記移動端末機は、前記サービング基地局から前記応答メッセージを受信した後に、前記割り当てられた非競合基盤リソースを使用して、前記時区間の間に、前記ハンドオーバープロセスの一部を遂行するステップをさらに具備することを特徴とする請求項１３記載の方法。
【請求項１５】
移動端末機と、前記移動端末機へサービスを提供するサービング基地局と、前記サービング基地局とは異なる複数の隣接基地局とを含む広帯域無線接続通信システムにおいて、サービス遅延を最小化することができるハンドオーバーを遂行する方法であって、
前記サービング基地局から前記隣接基地局のうちの任意の隣接基地局であるターゲット基地局へハンドオーバーすることを検出するステップと、
前記ターゲット基地局として選定可能な所定数の隣接基地局に関連した情報を付加して、前記ターゲット基地局へのハンドオーバーの前に前記ハンドオーバープロセスの一部を遂行することをサービング基地局へ要求するステップと
を具備することを特徴とする方法。
【請求項１６】
前記サービング基地局から、前記移動端末機が前記ハンドオーバープロセスの一部を遂行するようにするために、前記所定数の隣接基地局から選択された隣接基地局に関連した情報と、前記ハンドオーバープロセスの一部を遂行する時区間に関連した情報とを含む前記要求に対する応答メッセージを受信するステップと、
前記時区間に関連した情報に対応して、前記選択された隣接基地局と前記ハンドオーバープロセスの一部を遂行するステップとをさらに具備することを特徴とする請求項１５記載の方法。
【請求項１７】
前記ハンドオーバープロセスの一部は、前記選択された隣接基地局から割り当てられた非競合基盤リソースを使用することによって遂行されることを特徴とする請求項１６記載の方法。
【請求項１８】
移動端末機と、前記移動端末機へサービスを提供するサービング基地局と、前記サービング基地局とは異なる複数の隣接基地局とを含む広帯域無線接続通信システムにおいて、サービス遅延を最小化することができるハンドオーバーを遂行する方法であって、
前記サービング基地局から前記複数の隣接基地局から選択されたターゲット基地局へのハンドオーバーが要求されると、前記ターゲット基地局として選定可能な所定数の隣接基地局に関連した情報を含んでいると共に、ハンドオーバープロセスの一部を前記ハンドオーバーの前に遂行することを示す要求を、前記移動端末機から受信するステップと、
前記移動端末機が前記ハンドオーバープロセスの一部を遂行するようにするために、前記所定数の隣接基地局から隣接基地局を選択し、前記ハンドオーバープロセスの一部を遂行する時区間に関連した情報及び前記選択された隣接基地局に関連した情報を含んでいると共に、前記要求に応じた応答メッセージを送信するステップと
を具備することを特徴とする方法。
【請求項１９】
前記時区間の間に前記所定数の隣接基地局へ前記ハンドオーバープロセスの一部を前記移動端末機が遂行することを通知する通知メッセージを送信するステップをさらに具備することを特徴とする請求項１８記載の方法。
【請求項２０】
前記所定数の隣接基地局から前記移動端末機に提供可能なサービスに関連した情報を含む通知応答メッセージを受信するステップをさらに具備することを特徴とする請求項１９記載の方法。
【請求項２１】
前記所定数の隣接基地局の中から、前記移動端末機が前記ハンドオーバープロセスの一部を遂行する隣接基地局を選択するステップは、前記所定数の隣接基地局から送信された前記通知応答メッセージに含まれている前記移動端末機に提供可能なサービスに関連した情報に基づいて、前記移動端末機に最大のサービス品質を提供することができる隣接基地局を、前記移動端末機が前記ハンドオーバープロセスの一部を遂行する隣接基地局として選択することを特徴とする請求項２０記載の方法。
【請求項２２】
前記応答メッセージは、前記通知応答メッセージに含まれた前記移動端末機に提供可能なサービスに関連した情報に基づくことを特徴とする請求項１８記載の方法。
【請求項２３】
移動端末機と、前記移動端末機にサービスを提供するサービング基地局と、前記サービング基地局とは異なる複数の隣接基地局とを含む広帯域無線接続通信システムにおいて、サービス遅延を最小化することができるハンドオーバーを遂行する方法であって、
前記移動端末機は、前記サービング基地局から前記隣接基地局のうちの任意の隣接基地局であるターゲット基地局へハンドオーバーすべきことを検出すると、前記隣接基地局のうち、前記ターゲット基地局として選定可能な所定数の隣接基地局に関連した情報を付加することにより、前記ターゲット基地局へのハンドオーバーの前にハンドオーバープロセスの一部を遂行することを前記サービング基地局へ要求するステップと、
前記サービング基地局が前記要求を受信すると、前記サービング基地局が、前記所定数の隣接基地局へ、前記ハンドオーバープロセスの一部を遂行する時区間に関連した情報を含んでいると共に、前記移動端末機が前記ハンドオーバーの前に前記ハンドオーバープロセスの一部を遂行することを通知する通知メッセージを送信するステップと、
前記所定数の隣接基地局が、前記移動端末機に提供可能なサービスに関連した情報を含む通知応答メッセージを、前記サービング基地局へ送信するステップと、
前記サービング基地局が、前記所定数の隣接基地局の応答に対応して、前記所定数の隣接基地局の中から、前記移動端末機が前記ハンドオーバープロセスの一部を遂行する隣接基地局を選択し、前記ハンドオーバープロセスの一部を遂行する時区間に関連した情報及び前記選択された隣接基地局に関連した情報を含んでいると共に、前記移動端末機の要求に応じた応答メッセージを送信するステップと
を具備することを特徴とする方法。
【請求項２４】
前記サービング基地局が、前記所定数の隣接基地局の中から、前記移動端末機が前記ハンドオーバープロセスの一部を遂行する隣接基地局を選択するステップは、前記所定数の隣接基地局から送信された前記通知応答メッセージに含まれている前記移動端末機に提供可能なサービスに関連した情報に基づいて、前記移動端末機に最大のサービス品質を提供することができる隣接基地局を、前記移動端末機が前記ハンドオーバープロセスの一部を遂行する隣接基地局として選択することを特徴とする請求項２３記載の方法。
【請求項２５】
前記サービング基地局の応答メッセージは、前記選択された隣接基地局の通知応答メッセージに含まれている、前記移動端末機に提供可能なサービスに関連した情報に基づくことを特徴とする請求項２４記載の方法。
【請求項２６】
前記移動端末機は、前記移動端末機が前記サービング基地局から前記応答メッセージを受信すると、前記時区間の間、前記選択された隣接基地局と前記ハンドオーバープロセスの一部を遂行するステップをさらに具備することを特徴とする請求項２５記載の方法。
【請求項２７】
前記選択された隣接基地局は、前記移動端末機が前記ハンドオーバープロセスの一部を前記ハンドオーバーの前に遂行する旨の通知を受けた後、前記時区間の間、前記移動端末機が前記ハンドオーバープロセスの一部を遂行するように、非競合基盤リソースを割り当てるステップをさらに具備することを特徴とする請求項２６記載の方法。
【請求項２８】
前記移動端末機は、前記移動端末機が前記サービング基地局から前記応答メッセージを受信した後に、前記割り当てられた非競合基盤リソースを使用して、前記時区間の間、前記ハンドオーバープロセスの一部を遂行するステップをさらに具備することを特徴とする請求項２７記載の方法。
【請求項２９】
広帯域無線接続通信システムにおいて、サービス遅延を最小化することができるハンドオーバーシステムであって、
前記移動端末機が前記サービング基地局から前記ターゲット基地局へのハンドオーバーが必要であることを検出すると、前記ターゲット基地局へのハンドオーバーの前に、ハンドオーバープロセスの一部を遂行するために、前記移動端末機にサービスを提供する旨の要求を、前記サービング基地局へ送信する前記移動端末機と、
前記サービング基地局が前記移動端末機から前記要求を受信すると、前記ハンドオーバープロセスの一部を遂行する時区間に関連した情報を含んでいると共に、前記移動端末機が前記ハンドオーバーの前に前記ハンドオーバープロセスの一部を遂行することを前記ターゲット基地局へ通知する通知メッセージを送信し、前記サービング基地局が前記移動端末機に提供可能なサービスに関連した情報を含む通知応答メッセージを受信すると、前記通知応答メッセージに含まれている前記移動端末機に提供可能なサービスに関連した情報と前記時区間に関連した情報とを含む応答メッセージを、前記移動端末機の要求に応じて送信する前記サービング基地局と、
前記通知応答メッセージを、前記サービング基地局へ送信する前記ターゲット基地局と
を具備することを特徴とするシステム。
【請求項３０】
前記ターゲット基地局は、前記移動端末機が前記ハンドオーバープロセスの一部を前記ハンドオーバーの前に遂行する旨の通知を受けた後に、前記時区間の間、前記移動端末機が前記ハンドオーバープロセスの一部を遂行するようにするために、非競合基盤リソースを割り当てることを特徴とする請求項２９記載のシステム。
【請求項３１】
前記移動端末機は、前記移動端末機が前記サービング基地局から前記応答メッセージを受信した後に、前記割り当てられた非競合基盤リソースを使用して、前記時区間の間に、前記ハンドオーバープロセスの一部を遂行することを特徴とする請求項３０記載のシステム。
【請求項３２】
広帯域無線接続通信システムにおいて、サービス遅延を最小化することができるハンドオーバーシステムであって、
前記サービング基地局から前記隣接基地局のうちの任意の隣接基地局であるターゲット基地局へハンドオーバーすべきことを検出すると、前記隣接基地局のうち、前記ターゲット基地局として選定可能な所定数の隣接基地局に関連した情報を付加することにより、前記ターゲット基地局へのハンドオーバーの前にハンドオーバープロセスの一部を遂行する旨の要求を、前記サービング基地局へ送信する前記移動端末機と、
前記サービング基地局が前記要求を受信すると、前記所定数の隣接基地局へ、前記ハンドオーバープロセスの一部を遂行する時区間に関連した情報を含んでいると共に、前記移動端末機が前記ハンドオーバーの前に前記ハンドオーバープロセスの一部を遂行することを通知する通知メッセージを送信し、前記所定数の隣接基地局の応答に対応して、前記所定数の隣接基地局の中から、前記移動端末機が前記ハンドオーバープロセスの一部を遂行する隣接基地局を選択し、前記ハンドオーバープロセスの一部を遂行する時区間に関連した情報及び前記選択された隣接基地局に関連した情報を含んでいると共に、前記移動端末機の要求に応じた応答メッセージを送信する前記サービング基地局と、
前記移動端末機に提供可能なサービスに関連した情報を含む通知応答メッセージを、前記サービング基地局へ送信する前記所定数の隣接基地局と、
を具備することを特徴とするシステム。
【請求項３３】
前記サービング基地局は、前記所定数の隣接基地局から送信された前記通知応答メッセージに含まれている前記移動端末機に提供可能なサービスに関連した情報を考慮して、前記移動端末機に最大のサービス品質を提供することができる隣接基地局を、前記移動端末機が前記ハンドオーバープロセスの一部を遂行する隣接基地局として選択することを特徴とする請求項３２記載のシステム。
【請求項３４】
前記サービング基地局は、前記選択された隣接基地局の前記通知応答メッセージに含まれている、前記移動端末機に提供可能なサービスに関連した情報に基づいて、前記応答メッセージを送信することを特徴とする請求項３３記載のシステム。
【請求項３５】
前記移動端末機は、前記移動端末機が前記サービング基地局から前記応答メッセージを受信すると、前記時区間の間、前記選択された隣接基地局と前記ハンドオーバープロセスの一部を遂行することを特徴とする請求項３４記載のシステム。
【請求項３６】
前記選択された隣接基地局は、前記移動端末機が前記ハンドオーバープロセスの一部を前記ハンドオーバーの前に遂行する旨の通知を受けた後、前記時区間の間、前記移動端末機が前記ハンドオーバープロセスの一部を遂行するように、非競合基盤リソースを割り当てることを特徴とする請求項３５記載のシステム。
【請求項３７】
前記移動端末機は、前記移動端末機が前記サービング基地局から前記応答メッセージを受信した後に、前記割り当てられた非競合基盤リソースを使用して、前記時区間の間、前記ハンドオーバープロセスの一部を遂行することを特徴とする請求項３６記載のシステム。
【請求項３８】
移動端末機と、前記移動端末機にサービスを提供するサービング基地局と、前記移動端末機がハンドオーバーするターゲット基地局とを含む広帯域無線接続通信システムにおいて、前記移動端末機及び前記ターゲット基地局とのハンドオーバープロセスに対するサービス遅延を最小化する方法であって、
前記ハンドオーバープロセスのために必要とされる事前接続動作に関連した情報を示すフィールドを含むメッセージを、前記移動端末機から前記サービング基地局へ送信するステップと、
前記事前接続動作に関連した情報に対する応答フィールドと事前接続遂行期間を示すフィールドとを含むメッセージを、前記サービング基地局から前記移動端末機へ送信するステップと
を具備することを特徴とする方法。
【請求項３９】
前記事前接続動作に関連した情報を示すフィールドは、前記移動端末機と前記ターゲット基地局との間で非競合方式基盤レンジングが遂行されることを示すことを特徴とする請求項３８記載の方法。
【請求項４０】
前記事前接続遂行期間は、前記事前接続動作のためのスキャン区間に相当する期間であることを特徴とする請求項３８記載の方法。
【請求項４１】
前記移動加入者端末機と前記ターゲット基地局との間で前記事前接続動作が必要であることを通知する通知メッセージを、前記サービング基地局から前記ターゲット基地局へ送信するステップと、
前記移動端末機に提供可能なサービスに関連した情報を含む通知応答メッセージを、前記ターゲット基地局から前記サービング基地局へ送信するステップと
をさらに具備することを特徴とする請求項３８記載の方法。
【請求項４２】
前記ターゲット基地局は、前記移動端末機に非競合方式基盤レンジングリソースを割り当てるステップをさらに具備することを特徴とする請求項４１記載の方法。
【請求項４３】
移動端末機と、前記移動端末機にサービスを提供するサービング基地局と、前記移動端末機がハンドオーバーするターゲット基地局とを含む広帯域無線接続通信システムにおいて、前記移動端末機及び前記ターゲット基地局とのハンドオーバープロセスに対するサービス遅延を最小化する方法であって、
前記ハンドオーバープロセスのために必要とされる事前接続動作に関連した情報を示すフィールドを含むメッセージを、前記サービング基地局へ送信するステップと、
事前接続動作に関連した情報に対する応答フィールドと事前接続遂行期間を示すフィールドとを含むメッセージを、前記サービング基地局から受信するステップと
を具備することを特徴とする方法。
【請求項４４】
前記事前接続動作に関連した情報を示すフィールドは、前記移動端末機と前記ターゲット基地局との間で非競合方式基盤レンジングが遂行されることを示すことを特徴とする請求項４３記載の方法。
【請求項４５】
前記事前接続遂行期間は、前記事前接続動作のためのスキャン区間に相当する期間であることを特徴とする請求項４３記載の方法。
【請求項４６】
移動端末機と、前記移動端末機にサービスを提供するサービング基地局と、前記移動端末機がハンドオーバーするターゲット基地局とを含む広帯域無線接続通信システムにおいて、前記移動端末機及び前記ターゲット基地局とのハンドオーバープロセスに対するサービス遅延を最小化する方法であって、
前記ハンドオーバープロセスのために必要とされる事前接続動作に関連した情報を示すフィールドを含むメッセージを、前記移動端末機から受信するステップと、
前記事前接続動作に関連した情報に対する応答フィールドと事前接続遂行期間を示すフィールドとを含むメッセージを、前記移動端末機へ送信するステップと
を含むことを特徴とする方法。
【請求項４７】
前記事前接続動作に関連した情報を示すフィールドは、前記移動端末機と前記ターゲット基地局との間で非競合方式基盤レンジングが遂行されることを示すことを特徴とする請求項４６記載の方法。
【請求項４８】
前記事前接続遂行期間は、前記事前接続動作のためのスキャン区間に相当する期間であることを特徴とする請求項４６記載の方法。
【請求項４９】
前記移動端末機と前記ターゲット基地局との間で、前記事前接続動作が必要であることを通知する通知メッセージを、前記ターゲット基地局へ送信するステップと、
前記移動端末機に提供可能なサービスに関連した情報を含む通知応答メッセージを、前記ターゲット基地局から受信するステップと
をさらに具備することを特徴とする請求項４６記載の方法。
【発明の詳細な説明】
【技術分野】
【０００１】
本発明は、広帯域無線接続（Broadband Wireless Access；ＢＷＡ）通信システムにおけるハンドオーバーを遂行するシステム及び方法に関し、特に、ＢＷＡ通信システムにおいて、スキャン区間の間に、事前接続（association）を遂行して、サービス遅延を最小化できるハンドオーバーを遂行するシステム及び方法に関する。
【背景技術】
【０００２】
次世代通信システムである第４世代（4th Generation；以下、“４Ｇ”とする）通信システムでは、高速の多様なサービス品質（Quality of Service：以下、“ＱｏＳ”とする）を有するサービスをユーザーに提供するための活発な研究が進んでいる。特に、４Ｇ通信システムでは、無線近距離通信ネットワーク（Local Area Network：以下、“ＬＡＮ”とする）システム及び無線都市地域ネットワーク（Metropolitan Area Network：以下、“ＭＡＮ”とする）システムのような広帯域無線接続（Broadband Wireless Access：ＢＷＡ）通信システムに移動性（Mobility）とＱｏＳを保証する形態で高速サービスを支援するための研究が活発になされている。その代表的な通信システムが、ＩＥＥＥ（Institute of Electrical and Electronics Engineers）８０２.１６ａ通信システム及びＩＥＥＥ８０２.１６ｅ通信システムである。
【０００３】
ＩＥＥＥ８０２.１６ａ通信システム及びＩＥＥＥ８０２.１６ｅ通信システムは、無線ＭＡＮシステムの物理チャンネル（physical channel）に、広帯域送信ネットワークを支援するために直交周波数分割多元（Orthogonal  Frequency Division Multiplexing：以下、“ＯＦＤＭ”とする）方式／直交周波数分割多元接続（Orthogonal Frequency Division Multiplexing Access：以下、“ＯＦＤＭＡ”とする）方式を適用する。ＩＥＥＥ８０２.１６ａ通信システムは、現在の加入者端末機（Subscriber Station：以下、“ＳＳ”とする）が固定された状態、すなわち、ＳＳの移動性を全く考慮しない状態及び単一セル構造のみを考慮している。これに対して、ＩＥＥＥ８０２.１６ｅ通信システムは、ＩＥＥＥ８０２.１６ａ通信システムにＳＳの移動性を考慮するシステムである。ここで、移動性を有するＳＳは、“移動端末機（Mobile Station；以下、“ＭＳ”とする）と称する。
【０００４】
従来のＩＥＥＥ８０２.１６ｅ通信システムの構造は、図１を参照して詳細に説明する。
【０００５】
図１は、従来のＩＥＥＥ８０２．１６ｅ通信システムの構造を概略的に示す図である。
【０００６】
図１を参照すると、ＩＥＥＥ８０２.１６ｅ通信システムは、多重セル構造、すなわち、セル１００とセル１５０を有する。また、ＩＥＥＥ８０２.１６ｅ通信システムは、セル１００を管理する基地局（Base Station：ＢＳ）１１０と、セル１５０を管理するＢＳ１４０と、複数のＭＳ１１１，１１３，１３０，１５１，１５３とを含む。そして、ＢＳ１１０，１４０とＭＳ１１１，１１３，１３０，１５１，１５３との間の信号送受信は、ＯＦＤＭ／ＯＦＤＭＡ方式を使用して遂行される。ここで、ＭＳ１１１，１１３，１３０，１５１，１５３の中で、ＭＳ１３０は、セル１００とセル１５０との境界領域、すなわち、ハンドオーバー（handover）領域に位置する。したがって、ＭＳ１３０がＢＳ１１０と信号を送受信する間に、ＢＳ１４０が管理するセル１５０へ移動すると、ＭＳ１３０に対するサービング基地局（serving BS）がＢＳ１１０からＢＳ１４０に変更される。
【０００７】
従来のＩＥＥＥ８０２.１６ｅ通信システムのハンドオーバー過程を、図２を参照して詳細に説明する。
【０００８】
図２は、従来のＩＥＥＥ８０２．１６ｅ通信システムのハンドオーバー過程を示す信号フローチャートである。
【０００９】
図２を参照すると、まず、ＭＳ２０２は、サービングＢＳ２０４を介して呼（call）を設定してサービスを受信する（ステップ２１０）。図２には別途に図示されていないが、ＭＳ２０２は、サービングＢＳ２０４から隣接ＢＳ広告（Neighbor Advertisement；以下、‘ＭＯＢ−ＮＢＲ−ＡＤＶ’と称する）メッセージを受信し、これによって、隣接ＢＳに関する情報を獲得することができる。従って、ＭＳ２０２自身が隣接ＢＳから送信される基準信号（reference signal）、例えば、パイロット（pilot）信号のキャリア対干渉雑音比（Carrier to Interference and Noise Ratio；以下、‘ＣＩＮＲ’と称する）をスキャニング（scanning）すると、ＭＳ２０２は、サービングＢＳ２０４へスキャニング区間割当て要求（Scanning Interval Allocation Request；以下、‘ＭＯＢ−ＳＣＮ−ＲＥＱ’と称する）メッセージを送信する（ステップ２１２）。
【００１０】
ＭＳ２０２から上記ＭＯＢ−ＳＣＮ−ＲＥＱメッセージを受信したサービングＢＳ２０４は、上記ＭＯＢ−ＳＣＮ−ＲＥＱメッセージに対する応答メッセージであるスキャニング区間割当て応答（Mobile Scanning Interval Allocation Response；以下、‘ＭＯＢ−ＳＣＮ−ＲＳＰ’と称する）メッセージをＭＳ２０２へ送信する（ステップ２１４）。ここで、上記‘パイロット信号のＣＩＮＲに関する測定’という表現を、説明の便宜上、‘パイロット信号のＣＩＮＲに関するスキャン（scan）又はスキャニング’と称する。
【００１１】
上記ＭＯＢ−ＳＣＮ−ＲＳＰメッセージを受信したＭＳ２０２は、上記隣接ＢＳ及びサービングＢＳ２０４から送信されるパイロット信号のＣＩＮＲをスキャニングした後（ステップ２１６）、ＭＳ２０２が、現在ＭＳ２０２自身が属しているサービングＢＳを変更しなければならないと決定すると、すなわち、ＭＳ２０２が現在のサービングＢＳをサービングＢＳ２０４と相異なる新たな基地局に変更しなければならないと決定すると、ＭＳ２０２は、サービングＢＳ２０４へＭＳハンドオーバー要求（Mobile Station Handover Request；以下、‘ＭＯＢ−ＭＳＨＯ−ＲＥＱ’と称する）メッセージを送信する（ステップ２１８）。ここで、上記ＭＯＢ−ＭＳＨＯ−ＲＥＱメッセージは、ＭＳ２０２が上記隣接ＢＳ及びサービングＢＳ２０４から送信されるパイロット信号のＣＩＮＲをスキャンすることによって決定された、１個のハンドオーバー対象の基地局、すなわち、ターゲットＢＳ（Target BS）、又は複数のターゲットＢＳに関連した情報を含んでいる。一方、図２では、ＭＳ２０２が第１のターゲットＢＳ２０６と第２のターゲットＢＳ２０８とを含んでいる２個のターゲットＢＳをターゲットＢＳとして選択すると仮定する。
【００１２】
上記ＭＯＢ−ＭＳＨＯ−ＲＥＱメッセージを受信したサービングＢＳ２０４は、第１のターゲットＢＳ２０６及び第２のターゲットＢＳ２０８の各々へ、ハンドオーバー通知（handover notification；以下、‘ＨＯ−ＰＲＥ−ＮＯＴＩＦＩＣＡＴＩＯＮ’と称する）メッセージを送信する（ステップ２２０及びステップ２２２）。上記ＨＯ−ＰＲＥ−ＮＯＴＩＦＩＣＡＴＩＯＮメッセージは、ＭＳ２０２が新たなサービングＢＳとなるターゲットＢＳに要求する帯域幅情報である要求帯域幅（Required bandwidth）と、ＭＳ２０２が提供を受けようとするＱｏＳに対する情報である要求ＱｏＳとが含まれる。上記第１のターゲットＢＳ２０６及び第２のターゲットＢＳ２０８の各々は、自身のリソース状態を考慮して、上記ＨＯ−ＰＲＥ−ＮＯＴＩＦＩＣＡＴＩＯＮメッセージに対する応答メッセージであるハンドオーバー通知応答（handover notification response；以下、‘ＨＯ−ＰＲＥ−ＮＯＴＩＦＩＣＡＴＩＯＮ−ＲＥＳＰＯＮＳＥ’と称する）メッセージをサービングＢＳ２０４へ送信する（ステップ２２４及びステップ２２６）。図２では、第２のターゲットＢＳ２０８がＭＳ２０２のハンドオーバー要求に対する肯定を含むＨＯ−ＰＲＥ−ＮＯＴＩＦＩＣＡＴＩＯＮ−ＲＥＳＰＯＮＳＥメッセージをサービングＢＳ２０４へ送信すると仮定する。従って、サービングＢＳ２０４は、第２のターゲットＢＳ２０８へハンドオーバー確認（handover confirm；以下、‘ＨＯ−ＣＯＮＦＩＲＭ’と称する）メッセージを送信して、ＭＳ２０２がハンドオーバーすることをＢＳ２０８へ通知する（ステップ２２８）。また、サービングＢＳ２０４は、ＭＳ２０２へ上記ＭＯＢ−ＭＳＨＯ−ＲＥＱメッセージに対する応答メッセージであるＭＳハンドオーバー応答（Mobile Station Handover Response；以下、‘ＭＯＢ−ＭＳＨＯ−ＲＳＰ’と称する）メッセージを送信する（ステップ２３０）。
【００１３】
サービングＢＳ２０４から上記ＭＯＢ−ＭＳＨＯ−ＲＳＰメッセージを受信したＭＳ２０２は、第２のターゲットＢＳ２０８へハンドオーバーされることを示すハンドオーバー指示（handover indication；以下、‘ＭＯＢ−ＨＯ−ＩＮＤ’と称する）メッセージをサービングＢＳ２０４へ送信し（ステップ２３２）、サービングＢＳ２０４との呼を解除する（ステップ２３４）。この後、ＭＳ２０２は、新たに選択されたサービングＢＳである第２のターゲットＢＳ２０８に対してネットワーク再進入（network re-entry）動作を遂行する（ステップ２３６）。ここで、上記ネットワーク再進入動作は、ＭＳ２０２と新規サービングＢＳ、すなわち、第２のターゲットＢＳ２０８との間のレンジング（ranging）、再認証（re-authentication）、及び再登録（re-registration）のための動作である。上記ネットワーク再進入動作が完了された後に、ＭＳ２０２は、第２のターゲットＢＳ２０８に対して呼を設定してサービスを受信する（ステップ２３８）。
【００１４】
次いで、図３を参照して、図２のステップ２３６に示したネットワーク再進入動作について具体的に説明する。
【００１５】
図３は、図２に示したネットワーク再進入動作を示す信号フローチャートである。
【００１６】
図３を参照すると、まず、ＭＳ２０２は、第２のターゲットＢＳ２０８（以下、‘新規サービングＢＳ’と称する）から、新規サービングＢＳ２０８のＢＳ情報を、ダウンリンクマップ（downlink map；以下、‘ＤＬ−ＭＡＰ’と称する）メッセージと、アップリンクマップ（uplink map；以下、‘ＵＬ−ＭＡＰ’と称する）メッセージと、ダウンリンクチャンネルディスクリプタ（Downlink Channel Descriptor；以下、‘ＤＣＤ’と称する）メッセージと、アップリンクチャンネルディスクリプタ（Uplink Channel Descriptor；以下、‘ＵＣＤ’と称する）メッセージと、ＭＯＢ−ＮＢＲ−ＡＤＶメッセージとを介して受信し（ステップ３１１）、上記ＢＳ情報に基づいてダウンリンク同期を獲得する（ステップ３１３）。その後、ＭＳ２０２は、レンジング要求（ranging request；以下、‘ＲＮＧ−ＲＥＱ’と称する）メッセージを新規サービングＢＳ２０８へ送信する(ステップ３１５)。ここで、上記ＲＮＧ−ＲＥＱメッセージは、初期レンジング接続識別子（Connection ID；以下、‘ＣＩＤ’と称する）と、ＭＳ２０２の媒体接続制御（Medium Access Control；以下、‘ＭＡＣ’と称する）アドレスとを含む。
【００１７】
新規サービングＢＳ２０８は、ＭＳ２０２から上記ＲＮＧ−ＲＥＱメッセージを受信し、上記ＲＮＧ−ＲＥＱメッセージに含まれているＭＡＣアドレスを用いてマッピングすることにより、ＭＳ２０２に対する基本ＣＩＤ（Basic CID）と、第１の管理ＣＩＤ（Primary Management CID）とを割り当てる（ステップ３１７）。ここで、新規サービングＢＳ２０８は、ＭＳ２０２のＭＡＣアドレスが、新規サービングＢＳ２０８のＭＳ２０２のＭＡＣアドレスリストに登録されているか否かを検査する。上記検査の結果、ＭＳ２０２のＭＡＣアドレスがＭＳ２０２の上記ＭＡＣアドレスリストに登録されている場合、新規サービングＢＳ２０８は、ＭＳ２０２が同期を獲得した後、同期を失って再接続する場合であると判断し、従って、新規サービングＢＳ２０８は、ＭＳ２０２が新規サービングＢＳ２０８に再接続する場合に、ＭＳ２０２に基本ＣＩＤ及び第１の管理ＣＩＤをさらに割り当てる。一方、上記検査の結果、ＭＳ２０２のＭＡＣアドレスが新規サービングＢＳ２０８のＭＳ２０２のＭＡＣアドレスリストに登録されていない場合、新規サービングＢＳ２０８は、ＭＳ２０２が初期接続する場合であると判断し、ＭＳ２０２のＭＡＣアドレスを用いてマッピングすることにより、基本ＣＩＤ及び第１の管理ＣＩＤをＭＳ２０２に割り当てる。ここで、新規サービングＢＳ２０８は、新規サービングＢＳ２０８が上記ハンドオーバー動作によるＲＮＧ−ＲＥＱメッセージを受信する場合にも、ステップ３１７と同一の動作を遂行する。
【００１８】
その後、新規サービングＢＳ２０８は、ＭＳ２０２に対する基本ＣＩＤ及び第１の管理ＣＩＤを割り当てた後、ＭＳ２０２へ上記ＲＮＧ−ＲＥＱメッセージに対する応答メッセージであるレンジング応答（ranging response；以下、‘ＲＮＧ−ＲＳＰ’と称する）メッセージを送信する（ステップ３１９）。ここで、上記ＲＮＧ−ＲＳＰメッセージは、上記基本ＣＩＤ、上記第１の管理ＣＩＤ、及びアップリンク同期情報を含む。ＭＳ２０２は、新規サービングＢＳ２０８から上記ＲＮＧ−ＲＳＰメッセージを受信すると、基地局アップリンク同期を獲得して周波数及び電力を調整する（ステップ３２１）。
【００１９】
すると、ＭＳ２０２は、新規サービングＢＳ２０８へＭＳ基本容量交渉要求（MS Basic Capability Negotiation Request；以下、‘ＳＢＣ−ＲＥＱ’と称する）メッセージを送信する（ステップ３２３）。ここで、上記ＳＢＣ−ＲＥＱメッセージは、ＭＳ２０２から上記新規サービングＢＳ２０８に対して、基本容量に対する交渉のために送信されるＭＡＣメッセージであって、上記ＳＢＣ−ＲＥＱメッセージには、ＭＳ２０２が支援可能な変調（modulation）及び符号化（coding）方式に関する情報が含まれる。新規サービングＢＳ２０８は、ＭＳ２０２から上記ＳＢＣ−ＲＥＱメッセージを受信すると、上記ＳＢＣ−ＲＥＱメッセージに含まれているＭＳ２０２が支援可能な変調及び符号化方式を確認した後、上記ＳＢＣ−ＲＥＱメッセージに対する応答メッセージであるＭＳ基本容量交渉応答（MS Basic Capability Negotiation Response；以下、‘ＳＢＣ−ＲＳＰ’と称する）メッセージを送信する（ステップ３２５）。
【００２０】
上記ＳＢＣ−ＲＳＰメッセージを受信することによって、ＭＳ２０２は、ＭＳ２０２自身の基本容量交渉を完了し（ステップ３２７）、新規サービングＢＳ２０８へ暗号キー管理要求（Privacy Key Management Request；以下、‘ＰＫＭ−ＲＥＱ’と称する）メッセージを送信する（ステップ３２９）。ここで、上記ＰＫＭ−ＲＥＱメッセージは、ＭＳの認証のためのＭＡＣメッセージであり、ＭＳ２０２の固有の情報（certificate）を含む。上記ＰＫＭ−ＲＥＱメッセージをＭＳ２０２から受信すると、新規サービングＢＳ２０８は、上記ＰＫＭ−ＲＥＱメッセージに含まれているＭＳ２０２の固有の情報に基づいて、認証サーバ（ＡＳ；Authentication Server）に認証要求を遂行する。上記認証の結果、ＭＳ２０２が認証されたＭＳである場合、新規サービングＢＳ２０８は、ＭＳ２０２へ上記ＰＫＭ−ＲＥＱメッセージに対する応答メッセージである暗号キー管理応答（Privacy Key Management Response；以下、‘ＰＫＭ−ＲＳＰ’と称する）メッセージを送信する（ステップ３２６）。ここで、上記ＰＫＭ−ＲＳＰメッセージは、ＭＳ２０２に割り当てられた認証キー（Authentication Key；ＡＫ）及び暗号化キー（Traffic Encryption Key；ＴＥＫ）を含む。
【００２１】
ＭＳ２０２で上記ＰＫＭ−ＲＳＰメッセージを受信すると、ＭＳ２０２は、ＭＳ２０２自身の認証を完了すると同時に、暗号化キーを獲得し（ステップ３３３）、新規サービングＢＳ２０８へ登録要求（registration request；以下、‘ＲＥＧ−ＲＥＱ’と称する）メッセージを送信する（ステップ３３５）。ここで、上記ＲＥＧ−ＲＥＱメッセージは、ＭＳ２０２の登録情報を含む。上記ＲＥＧ−ＲＥＱメッセージを受信した新規サービングＢＳ２０８は、上記ＲＥＧ−ＲＥＱメッセージに含まれているＭＳ２０２の登録情報を検出して、ＭＳ２０２を新規サービングＢＳ２０８に登録させ、ＭＳ２０２に第２の管理ＣＩＤ（secondary Management CID）を割り当てる。すると、新規サービングＢＳ２０８は、上記ＲＥＧ−ＲＥＱメッセージに対する応答メッセージである登録応答（registration response；以下、‘ＲＥＧ−ＲＳＰ’と称する）メッセージをＭＳ２０２へ送信する（ステップ３３７）。ここで、上記ＲＥＧ−ＲＳＰメッセージは、上記第２の管理ＣＩＤ及びＭＳ２０２の登録情報を含む。
【００２２】
ＭＳ２０２で上記ＲＥＧ−ＲＳＰメッセージを受信すると、ＭＳ２０２は、ＭＳ２０２自身の登録を完了すると同時に、第２の管理ＣＩＤを獲得する（ステップ３３９）。このように、上記ＭＳの登録が完了されると、ＭＳ２０２は、基本ＣＩＤと、第１の管理ＣＩＤと、第２の管理ＣＩＤとを含む３個のＣＩＤを有する。ＭＳ２０２が新規サービングＢＳ２０８に登録された後に、ＭＳ２０２と新規サービングＢＳ２０８との間には、インターネットプロトコル（Internet Protocol；ＩＰ）が設定され、これによって、上記ＩＰを介して運営情報がダウンロード（download）されることができる（ステップ３４１）。その後、図示されていないが、ＭＳ２０２と新規サービングＢＳ２０８との間に、サービスフロー（service flow）が設定される。ここで、上記サービスフローとは、任意のＱｏＳを有する接続（connection）を通してＭＡＣサービスデータユニット（Service Data Unit；以下、‘ＳＤＵ’と称する）が送受信されるフローを意味する。上述したように、上記ＭＡＣ−ＳＤＵ、すなわち、トラヒックを送受信する場合に、トランスポート（transport）ＣＩＤが割り当てられなければならないので、上記サービスフローを設定する時、ＭＳ２０２にトランスポートＣＩＤが割り当てられる。このように、上記サービスフローが設定されると、ＭＳ２０２と新規サービングＢＳ２０８との間でサービスが遂行される。
【００２３】
次いで、図４を参照して、ハンドオーバーを遂行するＭＳが、実際のハンドオーバーを遂行する間に、迅速に新規サービングＢＳに接続することができるように、事前の接続動作をあらかじめ遂行するアソシエーション動作について説明する。
【００２４】
図４は、通常のＩＥＥＥ８０２．１６ｅ通信システムのアソシエーション動作を示す信号フローチャートである。
【００２５】
図４を説明するに先立って、上記“アソシエーション”について説明する。
【００２６】
図３を参照して説明したように、ＭＳがハンドオーバー動作を遂行する時に、ＭＳは、新規サービングＢＳとの間で複数のメッセージを送受信する。また、ＭＳのハンドオーバーが完了された後に、ＭＳと新規サービングＢＳとの間でデータの送受信がなされる。しかしながら、ＭＳが新規サービングＢＳから新規サービスを受信する代わりに、既存のサービングＢＳから受信されたサービスを、その位置のみを移動して、新規サービングＢＳから該サービスを受信する必要がある場合には、ＭＳへ提供されているサービスは、ＭＳと新規サービングＢＳとの間で送受信される複数のメッセージによって中断される場合が発生することがある。従って、図２を参照して説明するように、パイロット信号のＣＩＮＲをスキャニングする区間の間、すなわち、スキャニング区間の間、ターゲットＢＳから送信されるパイロット信号のＣＩＮＲをスキャニングするだけでなく、上記ＭＳがアソシエーション動作を遂行しなければならない場合、上記スキャニング区間で実際のハンドオーバーの時に遂行すべき動作を、ハンドオーバー動作前にあらかじめ遂行することが可能である。このように、ＭＳがハンドオーバー動作を遂行する前に、実際のハンドオーバー動作の間に遂行しなければならない動作をあらかじめ遂行することを、“アソシエーション”という。結果的に、図３に示すステップ３１１乃至ステップ３２１までのプロセス（process）を、実際のハンドオーバー前のスキャン区間の間にあらかじめ遂行することによって、ハンドオーバーする間に、同一のプロセスを省略するか、又は単純化することができる。すると、実際のハンドオーバに必要とされる時間が減少されることができる。上記アソシエーション動作が実際のハンドオーバー前に遂行されると、上記ハンドオーバーによる遅延時間を最小化することができる。
【００２７】
図４を参照して、上記アソシエーション動作について具体的に説明する。
【００２８】
図４を参照すると、ＭＳ４０２は、第１の基地局（ＢＳ＃１）であるサービングＢＳ４０４からＭＯＢ−ＮＢＲ−ＡＤＶメッセージを受信し、上記ＭＯＢ−ＮＢＲ−ＡＤＶメッセージから隣接ＢＳに関連した情報を獲得する（ステップ４０８）。図４では、第２のＢＳ（ＢＳ＃２）４０６と第３のＢＳ（ＢＳ＃３）（図示せず）とを含む２個の隣接ＢＳが存在すると仮定する。また、第２のＢＳ４０６は、ターゲットＢＳとして選択されるはずなので、説明の便宜上、第２のＢＳ４０６を“ターゲットＢＳ”と称する。
【００２９】
一方、ＭＳ４０２がパイロット信号のＣＩＮＲをスキャニングする場合に、ＭＳ４０２は、サービングＢＳ４０４へＭＯＢ−ＳＣＮ−ＲＥＱメッセージを送信する（ステップ４１０）。表１は、ＭＳ４０２からサービングＢＳ４０４へ送信されるＭＯＢ−ＳＣＮ−ＲＥＱメッセージのフォーマット（format）を示す。
【００３０】
【表１】
2007536786.tif 000003
【００３１】
表１に示すように、上記ＭＯＢ−ＳＣＮ−ＲＥＱメッセージは、複数の情報エレメント（Information Element；以下、‘ＩＥ’と称する）、すなわち、送信されるメッセージのタイプを示すマネージメントメッセージタイプ（Management Message Type）と、上記隣接ＢＳから送信されるパイロット信号のＣＩＮＲをスキャニングするのに使用されるスキャニング区間を示すスキャン区間（Scan Duration）とを含む。上記スキャン区間は、フレーム単位から構成される。ＩＥＥＥ８０２．１６ｅ通信システムに従うと、ＭＳ４０２がターゲットＢＳである第２のＢＳ４０６とアソシエーションを遂行する場合、ＭＯＢ−ＳＣＮ−ＲＥＱメッセージに対する要求又は許可がサービングＢＳ４０４からＭＳ４０２へ送信されないとしても、ＭＳ４０２が上記パイロット信号のＣＩＮＲをスキャンする同一の方式にて、ＭＳ４０２は、ＭＳ４０２のサービングＢＳ４０４へＭＯＢ−ＳＣＮ−ＲＥＱメッセージを送信する。
【００３２】
ＭＳ４０２から上記ＭＯＢ−ＳＣＮ−ＲＥＱメッセージを受信すると、サービングＢＳ４０４は、ＭＳ４０２へ上記ＭＯＢ−ＳＣＮ−ＲＥＱメッセージに対する応答メッセージであるＭＯＢ−ＳＣＮ−ＲＳＰメッセージを送信する（ステップ４１２）。表２は、ＢＳ４０４からＭＳ４０２へ送信されるＭＯＢ−ＳＣＮ−ＲＳＰメッセージのフォーマットを示す。
【００３３】
【表２】
2007536786.tif 000004
【００３４】
表２に示すように、上記ＭＯＢ−ＳＣＮ−ＲＳＰメッセージは、複数のＩＥ、すなわち、送信されるメッセージのタイプを示すマネージメントメッセージタイプと、上記ＭＯＢ−ＳＣＮ−ＲＥＱメッセージを送信したＭＳ４０２のＣＩＤと、スキャン区間と、スキャン動作の開始時点を示す開始フレーム（Start Frame）とを含む。ここで、ＭＳ４０２は、上記開始フレームに示されたフレーム区間、すなわち、Ｍフレーム（M-Frame）４１４区間の間待機した後に、アソシエーションのためのスキャニング動作を遂行する。また、上記ＭＯＢ−ＳＣＮ−ＲＳＰメッセージは、ＭＳ４０２から送信されたＭＯＢ−ＳＣＮ−ＲＥＱメッセージに対する応答メッセージであり、上記パイロット信号のＣＩＮＲをスキャニングするのに必要とされる時間に関連した情報を通知する。すなわち、上記ＭＯＢ−ＳＣＮ−ＲＥＱメッセージは、上記アソシエーションのための別途の情報を示すことなく、上記区間をフレーム単位で通知する。
【００３５】
このように、上記スキャニング動作を遂行することによって、ＭＳ４０２は、ターゲットＢＳ４０６との同期を獲得する（ステップ４１６）。すると、ターゲットＢＳ４０６と同期を獲得したＭＳ４０２は、上記アソシエーション動作を遂行するために、競合基盤（contention-base）ランダムアクセス（random access）方式を通してターゲットＢＳ４０６へＲＮＧ−ＲＥＱメッセージを送信する（ステップ４２０）。ここで、ＭＳ４０２は、上記競合基盤ランダムアクセス方式を通して、ターゲットＢＳ４０６へ上記ＲＮＧ−ＲＥＱメッセージを送信するので、ＭＳ４０２は、他のＭＳと競合しながらターゲットＢＳ４０６に接続することができ、これによって、時間遅延が長くなることができる。表３は、上記ＲＮＧ−ＲＥＱメッセージのフォーマットを示す。
【００３６】
【表３】
2007536786.tif 000005
【００３７】
表３に示すように、上記ＲＮＧ−ＲＥＱメッセージは、複数のＩＥ、すなわち、送信されるメッセージのタイプを示すマネージメントメッセージタイプと、ダウンリンクチャンネル識別子（Downlink Channel ID）とを含む。
【００３８】
ＭＳ４０２からＲＮＧ−ＲＥＱメッセージを受信したターゲットＢＳ４０６は、ＭＳ４０２へ上記ＲＮＧ−ＲＥＱメッセージに対する応答メッセージであるＲＮＧ−ＲＳＰメッセージを送信する（ステップ４２２）。ここで、上記ＲＮＧ−ＲＳＰメッセージは、レンジングのための周波数、時間、及び送信電力を調整するための情報を含む。また、上記ＲＮＧ−ＲＳＰメッセージは、表４に示すようなサービスレベル予報（Service Level Prediction；以下、‘ＳＬＰ’と称する）ＩＥを含む。
【００３９】
【表４】
2007536786.tif 000006
【００４０】
表４に示すような上記ＳＬＰの各値は、次の通りである。
【００４１】
[０]＝該当ＭＳに何のサービスも提供することができない。
[１]＝該当ＭＳに一部のサービスのみ提供することができる。
[２]＝該当ＭＳにすべてのサービスを提供することができる。
[３]＝ＳＬＰを支援しない。 
【００４２】
上記ＲＮＧ−ＲＳＰメッセージのＳＬＰの値が“２”である場合、ターゲットＢＳ４０６は、ＭＳ４０２にすべてのサービスを提供することが可能な状態であるので、ＭＳ４０２は、ターゲットＢＳ４０６に関してアソシエーション遂行を完了したものと判断し、ターゲットＢＳ４０６とのレンジング動作を通して得られた情報を記憶する。すなわち、ＭＳ４０２は、ターゲットＢＳ４０６へのＲＮＧ−ＲＥＱメッセージの送信及びターゲットＢＳ４０６からのＲＮＧ−ＲＳＰメッセージの受信を通して獲得された情報をＭＳ４０２自身の内部メモリにテーブル（table）の形態で記憶する（ステップ４２４）。
【００４３】
上述したように、ＭＳ４０２は、スキャニング区間４２６の間に、パイロット信号のＣＩＮＲをスキャンするだけでなく、ターゲットＢＳ４０６とのアソシエーションを遂行する。また、スキャニング区間４２６が終了されると、ＭＳ４０２は、さらにサービングＢＳ４０４との通信を遂行する。
【００４４】
図４を参照して説明するように、ＭＳは、ハンドオーバーを遂行する前のスキャニング区間の間にアソシエーション動作を遂行することによって、実際のハンドオーバーを遂行する時、上記アソシエーション動作の完了によって、上記レンジング動作に対する複数の補正プロセスを遂行することなく、短時間の内に上記レンジング動作が遂行されることができる。すなわち、上記ターゲットＢＳとのアソシエーション動作を遂行することによって、ＭＳのハンドオーバーは、高速で遂行されることができる。しかしながら、上述したように、ＭＳが競合基盤ランダムアクセス方式を通してターゲットＢＳへＲＮＧ−ＲＥＱメッセージを送信するので、上記競合基盤ランダムアクセス方式によって、スキャニング区間の間に時間遅延が発生することがある。このような時間遅延は、ＭＳの正常的なアソシエーション動作の遂行を不可能にすることもあった。
【発明の開示】
【発明が解決しようとする課題】
【００４５】
上記背景に鑑みて、本発明の目的は、広帯域無線接続通信システムにおいて、サービス遅延を最小化することができるハンドオーバー動作を遂行するシステム及び方法を提供することにある。
【００４６】
本発明の他の目的は、広帯域無線接続通信システムにおいて、高速レンジングを支援するアソシエーション動作を遂行することができるハンドオーバー動作を提供することによって、サービス遅延を最小化するシステム及び方法を提供することにある。
【課題を解決するための手段】
【００４７】
このような目的を達成するために、本発明の第１の見地によると、広帯域無線接続通信システムにおいて、サービス遅延を最小化することができるハンドオーバーシステムは、上記移動端末機が上記サービング基地局から上記ターゲット基地局へのハンドオーバーが必要であることを検出すると、上記ターゲット基地局へのハンドオーバーの前に、ハンドオーバープロセスの一部を遂行するために、上記移動端末機にサービスを提供する旨の要求を、上記サービング基地局へ送信する上記移動端末機と、上記サービング基地局が上記移動端末機から上記要求を受信すると、上記ハンドオーバープロセスの一部を遂行する時区間に関連した情報を含んでいると共に、上記移動端末機が上記ハンドオーバーの前に上記ハンドオーバープロセスの一部を遂行することを上記ターゲット基地局へ通知する通知メッセージを送信し、上記サービング基地局が上記移動端末機に提供可能なサービスに関連した情報を含む通知応答メッセージを受信すると、上記通知応答メッセージに含まれている上記移動端末機に提供可能なサービスに関連した情報と上記時区間に関連した情報とを含む応答メッセージを、上記移動端末機の要求に応じて送信する上記サービング基地局と、上記通知応答メッセージを、上記サービング基地局へ送信する上記ターゲット基地局とを具備することを特徴とする。
【００４８】
本発明の第２の見地によると、広帯域無線接続通信システムにおいて、サービス遅延を最小化することができるハンドオーバーシステムは、上記サービング基地局から上記隣接基地局のうちの任意の隣接基地局であるターゲット基地局へハンドオーバーすべきことを検出すると、上記隣接基地局のうち、上記ターゲット基地局として選定可能な所定数の隣接基地局に関連した情報を付加することにより、上記ターゲット基地局へのハンドオーバーの前にハンドオーバープロセスの一部を遂行する旨の要求を、上記サービング基地局へ送信する上記移動端末機と、上記サービング基地局が上記要求を受信すると、上記所定数の隣接基地局へ、上記ハンドオーバープロセスの一部を遂行する時区間に関連した情報を含んでいると共に、上記移動端末機が上記ハンドオーバーの前に上記ハンドオーバープロセスの一部を遂行することを通知する通知メッセージを送信し、上記所定数の隣接基地局の応答に対応して、上記所定数の隣接基地局の中から、上記移動端末機が上記ハンドオーバープロセスの一部を遂行する隣接基地局を選択し、上記ハンドオーバープロセスの一部を遂行する時区間に関連した情報及び上記選択された隣接基地局に関連した情報を含んでいると共に、上記移動端末機の要求に応じた応答メッセージを送信する上記サービング基地局と、上記移動端末機に提供可能なサービスに関連した情報を含む通知応答メッセージを、上記サービング基地局へ送信する上記所定数の隣接基地局とを具備することを特徴とする。
【００４９】
本発明の第３の見地によると、移動端末機と、上記移動端末機へサービスを提供するサービング基地局と、上記移動端末機がハンドオーバーするターゲット基地局とを含む広帯域無線接続通信システムにおいて、サービス遅延を最小化することができるハンドオーバーを遂行する方法は、上記サービング基地局から上記ターゲット基地局へのハンドオーバーが必要であることを検出するステップと、上記ターゲット基地局へのハンドオーバーを遂行する前に、ハンドオーバープロセスの一部を遂行することを上記サービング基地局へ要求するステップとを具備することを特徴とする。
【００５０】
本発明の第４の見地によると、移動端末機と、上記移動端末機へサービスを提供するサービング基地局と、上記移動端末機がハンドオーバーするターゲット基地局とを含む広帯域無線接続通信システムにおいて、サービス遅延を最小化することができるハンドオーバーを遂行する方法は、上記サービング基地局から上記ターゲット基地局へのハンドオーバーが要求されると、ハンドオーバープロセスの一部が上記ハンドオーバーの前に遂行されることを通知する要求を、上記移動端末機から受信するステップと、上記ハンドオーバープロセスの一部を遂行する時区間に関連した情報を含んでいると共に、上記要求に応じた応答メッセージを送信するステップとを具備することを特徴とする。
【００５１】
本発明の第５の見地によると、移動端末機と、上記移動端末機へサービスを提供するサービング基地局と、上記移動端末機がハンドオーバーするターゲット基地局とを含む広帯域無線接続通信システムにおいて、サービス遅延を最小化することができるハンドオーバーを遂行する方法は、上記移動端末機が上記サービング基地局から上記ターゲット基地局へハンドオーバーすべき必要がある場合、上記ハンドオーバープロセスの一部が上記ハンドオーバーの前に遂行されることを通知するメッセージを、上記サービング基地局から受信するステップと、上記移動端末機に提供可能なサービスに関連した情報を含む通知応答メッセージを送信するステップとを具備することを特徴とする。
【００５２】
本発明の第６の見地によると、移動端末機と、上記移動端末機へサービスを提供するサービング基地局と、上記移動端末機がハンドオーバーするターゲット基地局とを含む広帯域無線接続通信システムにおいて、サービス遅延を最小化することができるハンドオーバーを遂行する方法は、上記移動端末機がハンドオーバープロセスの一部を上記ターゲット基地局へのハンドオーバーの前に遂行することを、上記移動端末機から上記サービング基地局へ要求するステップと、上記サービング基地局が上記移動端末機からの要求を受信すると、上記ハンドオーバープロセスの一部を遂行する時区間に関連した情報を含んでいると共に、上記移動端末機が上記ハンドオーバーの前に上記ハンドオーバープロセスの一部を遂行することを通知する通知メッセージを、上記サービング基地局から上記ターゲット基地局へ送信するステップと、上記移動端末機に提供可能なサービスに関連した情報を含む通知応答メッセージを、上記ターゲット基地局から上記サービング基地局へ送信するステップと、前記サービング基地局が、前記移動端末機の要求に応じて、前記時区間に関連した情報と、前記通知応答メッセージに含まれている前記移動端末機に提供可能なサービスに関連した情報とを含む応答メッセージを送信するステップと、を含むことを特徴とする。
【００５３】
本発明の第７の見地によると、移動端末機と、上記移動端末機へサービスを提供するサービング基地局と、上記サービング基地局とは異なる複数の隣接基地局とを含む広帯域無線接続通信システムにおいて、サービス遅延を最小化することができるハンドオーバーを遂行する方法は、上記サービング基地局から上記隣接基地局のうちの任意の隣接基地局であるターゲット基地局へハンドオーバーすることを検出するステップと、上記ターゲット基地局として選定可能な所定数の隣接基地局に関連した情報を付加して、上記ターゲット基地局へのハンドオーバーの前に上記ハンドオーバープロセスの一部を遂行することをサービング基地局へ要求するステップとを具備することを特徴とする。
【００５４】
本発明の第８の見地によると、移動端末機と、上記移動端末機へサービスを提供するサービング基地局と、上記サービング基地局とは異なる複数の隣接基地局とを含む広帯域無線接続通信システムにおいて、サービス遅延を最小化することができるハンドオーバーを遂行する方法は、上記サービング基地局から上記複数の隣接基地局から選択されたターゲット基地局へのハンドオーバーが要求されると、上記ターゲット基地局として選定可能な所定数の隣接基地局に関連した情報を含んでいると共に、ハンドオーバープロセスの一部を上記ハンドオーバーの前に遂行することを示す要求を、上記移動端末機から受信するステップと、上記移動端末機が上記ハンドオーバープロセスの一部を遂行するようにするために、上記所定数の隣接基地局から隣接基地局を選択し、上記ハンドオーバープロセスの一部を遂行する時区間に関連した情報及び上記選択された隣接基地局に関連した情報を含んでいると共に、上記要求に応じた応答メッセージを送信するステップとを具備することを特徴とする。
【００５５】
本発明の第９の見地によると、移動端末機と、上記移動端末機にサービスを提供するサービング基地局と、上記サービング基地局とは異なる複数の隣接基地局とを含む広帯域無線接続通信システムにおいて、サービス遅延を最小化することができるハンドオーバーを遂行する方法は、上記移動端末機は、上記サービング基地局から上記隣接基地局のうちの任意の隣接基地局であるターゲット基地局へハンドオーバーすべきことを検出すると、上記隣接基地局のうち、上記ターゲット基地局として選定可能な所定数の隣接基地局に関連した情報を付加することにより、上記ターゲット基地局へのハンドオーバーの前にハンドオーバープロセスの一部を遂行することを要求する旨を上記サービング基地局へ送信するステップと、上記サービング基地局が上記要求を受信すると、上記サービング基地局が、上記所定数の隣接基地局へ、上記ハンドオーバープロセスの一部を遂行する時区間に関連した情報を含んでいると共に、上記移動端末機が上記ハンドオーバーの前に上記ハンドオーバープロセスの一部を遂行することを通知する通知メッセージを送信するステップと、上記所定数の隣接基地局が、上記移動端末機に提供可能なサービスに関連した情報を含む通知応答メッセージを、上記サービング基地局へ送信するステップと、上記サービング基地局が、上記所定数の隣接基地局の応答に対応して、上記所定数の隣接基地局の中から、上記移動端末機が上記ハンドオーバープロセスの一部を遂行する隣接基地局を選択し、上記ハンドオーバープロセスの一部を遂行する時区間に関連した情報及び上記選択された隣接基地局に関連した情報を含んでいると共に、上記移動端末機の要求に応じた応答メッセージを送信するステップとを具備することを特徴とする。
【００５６】
本発明の第１０の見地によると、移動端末機と、上記移動端末機にサービスを提供するサービング基地局と、上記移動端末機がハンドオーバーするターゲット基地局とを含む広帯域無線接続通信システムにおいて、上記移動端末機及び上記ターゲット基地局とのハンドオーバープロセスに対するサービス遅延を最小化する方法は、上記ハンドオーバープロセスのために必要とされる事前接続動作に関連した情報を示すフィールドを含むメッセージを、上記移動端末機から上記サービング基地局へ送信するステップと、事前接続動作に関連した情報に対する応答フィールドと事前接続遂行期間を示すフィールドとを含むメッセージを、上記サービング基地局から受信するステップとを具備することを特徴とする。
【００５７】
本発明の第１１の見地によると、移動端末機と、上記移動端末機にサービスを提供するサービング基地局と、上記移動端末機がハンドオーバーするターゲット基地局とを含む広帯域無線接続通信システムにおいて、上記移動端末機及び上記ターゲット基地局とのハンドオーバープロセスに対するサービス遅延を最小化する方法は、上記ハンドオーバープロセスのために必要とされる事前接続動作に関連した情報を示すフィールドを含むメッセージを、上記移動端末機から受信するステップと、上記事前接続動作に関連した情報に対する応答フィールドと事前接続遂行期間を示すフィールドとを含むメッセージを、上記移動端末機へ送信するステップとを含むことを特徴とする。
【発明の効果】
【００５８】
本発明によると、広帯域無線接続通信システムにおいて、ＭＳがハンドオーバーを遂行する前にアソシエーション動作を遂行して、ターゲットＢＳとあらかじめアクセスすることによって、高速のハンドオーバーを可能にすることができる。また、本発明によると、ＭＳがターゲットＢＳとアクセスする前に、サービングＢＳがターゲットＢＳへＭＳのアソシエーション動作を通知することによって、ターゲットＢＳは、ＭＳのアソシエーションのために、高速レンジングＩＥをＵＰ−ＭＡＰに割り当てることができる。従って、ＭＳが非競合基盤接続方式を通して高速でアソシエーション動作を遂行することができる、という長所がある。
【発明を実施するための最良の形態】
【００５９】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００６０】
本発明は、広帯域無線接続（Broadband Wireless Access;ＢＷＡ）通信システム、例えば、ＩＥＥＥ（Institute of Electrical and Electronics Engineers）８０２．１６ｅ通信システムにおいて、移動端末機（Mobile Station；以下、‘ＭＳ’と称する）が、サービングＢＳ（serving BS（Base Station））からターゲットＢＳ（Target BS）へハンドオーバー（handover）を遂行する前に事前接続（association）動作を遂行して、ハンドオーバーによるサービス遅延を最小化する方法を提案する。すなわち、本発明は、ＭＳがターゲットＢＳへのハンドオーバーを遂行する前に、スキャニング区間（scanning interval）でアソシエーション動作を遂行することによって、ハンドオーバーによるサービス遅延を最小化する方法を提案する。本発明では、説明の便宜上、上記ＩＥＥＥ８０２．１６ｅ通信システムを一例に挙げて説明するが、上記ＩＥＥＥ８０２．１６ｅ通信システムだけでなく、他の通信システムにも適用されることができることに留意すべきである。
【００６１】
図５は、本発明の実施形態によるＩＥＥＥ８０２．１６ｅ通信システムにおけるアソシエーション動作を示す信号フローチャートである。
【００６２】
図５を参照すると、まず、ＭＳ５００は、第１の基地局（ＢＳ＃１）であるサービングＢＳ５０２から隣接ＢＳ広告（Neighbor Advertisement；以下、‘ＭＯＢ−ＮＢＲ−ＡＤＶ’と称する）メッセージ（図示せず）を受信し、上記ＭＯＢ−ＮＢＲ−ＡＤＶメッセージから隣接ＢＳに関連した情報を獲得する。下記の説明において、第２のＢＳ（ＢＳ＃２）５０４は、ターゲットＢＳとして選択されるはずなので、説明の便宜上、第２のＢＳ５０４をターゲットＢＳ５０４と称する。
【００６３】
一方、ＭＳ５００は、ハンドオーバーを遂行する前にアソシエーション動作を遂行することを決定すると、サービングＢＳ５０２へスキャニング区間割当て要求（Scanning Interval Allocation Request；以下、‘ＭＯＢ−ＳＣＮ−ＲＥＱ’と称する）メッセージを送信する（ステップ５０６）。ここでは、表１に示すような従来のＩＥＥＥ８０２．１６ｅ通信システムで使用されたＭＯＢ−ＳＣＮ−ＲＥＱメッセージとは異なり、上記ＭＯＢ−ＳＣＮ−ＲＥＱメッセージは、ＭＳ５００のスキャニング動作をＭＳ５００のアソシエーション動作と区別するために使用される情報を含む。すなわち、上記アソシエーション動作の遂行に対する許可を要求するために、ＭＳ５００が上記ＭＯＢ−ＳＣＮ−ＲＥＱメッセージをサービングＢＳ５０２へ送信するので、上記ＭＯＢ−ＳＣＮ−ＲＥＱメッセージに、そのスキャンタイプ（scan type）“１”及び上記アソシエーション動作を遂行するターゲットＢＳの識別子（ＩＤ）を記載する。ここで、ＭＳ５００は、ＭＳ５００自身が保存しているターゲットＢＳの情報に従って、ターゲットＢＳを整列し、上記ターゲットＢＳの整列順序に従って、上記ターゲットＢＳのＩＤを記録する。ＭＳ５００が上記ターゲットＢＳを決定する方法は、本発明とは直接的な関連がないので、その詳細な説明を省略する。
【００６４】
表５は、本発明で提案するＭＯＢ−ＳＣＮ−ＲＥＱメッセージのフォーマットを示す。
【００６５】
【表５】
2007536786.tif 000007
【００６６】
表５に示すように、上記ＭＯＢ−ＳＣＮ−ＲＥＱメッセージは、複数の情報エレメント（Information Element；以下、‘ＩＥ’と称する）、すなわち、送信されるメッセージタイプを示すマネージメントメッセージタイプ（Management Message Type）と、上記隣接ＢＳから送信されるパイロット信号のキャリア対干渉雑音比（Carrier to Interference and Noise Ratio；以下、‘ＣＩＮＲ’と称する）のスキャニングのために使用されるスキャニング区間（scan type == ０）、あるいは、上記ターゲットＢＳとのアソシエーションのために使用されるスキャニング区間（scan type == １）を示すスキャンデュレーション（Scan Duration）を含む。上記スキャンデュレーションは、フレーム単位で構成される。上記ＭＯＢ−ＳＣＮ−ＲＥＱメッセージが隣接ＢＳから送信されるパイロット信号のＣＩＮＲをスキャニングするために、サービングＢＳ５０２へ送信される場合には、上記スキャンタイプは、“０”に設定される。また、上記ＭＯＢ−ＳＣＮ−ＲＥＱメッセージが隣接ＢＳとのアソシエーションのために、サービングＢＳ５０２へ送信される場合には、上記スキャンタイプは、“１”に設定される。
【００６７】
ＭＳ５００から上記ＭＯＢ−ＳＣＮ−ＲＥＱメッセージを受信したサービングＢＳ５０２は、上記ＭＯＢ−ＳＣＮ−ＲＥＱメッセージに含まれているスキャンタイプが‘１’である場合には、ＭＳ５００が上記アソシエーション動作を遂行することができ、従って、表６に示すようなスキャン通知（scan notification；以下、‘ＳＣＮ−ＮＯＴＩＦＩＣＡＴＩＯＮ’と称する）メッセージを、上記ＭＯＢ−ＳＣＮ−ＲＥＱメッセージに含まれているターゲットＢＳ−ＩＤに該当するターゲットＢＳへ送信する（ステップ５０８）。図５では、説明の便宜上、上記ターゲットＢＳのうち、１つのターゲットＢＳ５０４のみを示すことに留意すべきである。
【００６８】
【表６】
2007536786.tif 000008
【００６９】
表６に示すように、上記ＳＣＮ−ＮＯＴＩＦＩＣＡＴＩＯＮメッセージは、上記アソシエーション動作を遂行する該当ＭＳの識別子を示す“ＭＳ ＩＤ”と、上記アソシエーション動作を遂行するものと推定される時点に関する情報を示す“Ｅｓｔｉｍａｔｅｄ ｔｉｍｅ ｔｏ Ａｓｓｏｃｉａｔｉｏｎ”と、該当ＭＳにサービスを提供するために必要とされる帯域幅を示す“Ｒｅｑｕｉｒｅｄ ＢＷ”と、該当ＭＳへ提供されるサービスに関する情報を示す“サービスフロー識別子（Service Flow ID；ＳＦＩＤ）と、該当ＭＳへ提供されるサービスのサービス品質（Quality of Service；ＱｏＳ）を示す“Ｒｅｑｕｉｒｅｄ ＱｏＳ”とを含む。
【００７０】
結果的に、サービングＢＳ５０２は、ターゲットＢＳへＭＳ５００のアソシエーションを通知すると同時に、ＭＳ５００に提供されるサービスに関連した情報を通知するために、上記ＳＣＮ−ＮＯＴＩＦＩＣＡＴＩＯＮメッセージをターゲットＢＳへ送信する。サービングＢＳ５０２から上記ＳＣＮ−ＮＯＴＩＦＩＣＡＴＩＯＮメッセージを受信したターゲットＢＳ５０４は、上記ＳＣＮ−ＮＯＴＩＦＩＣＡＴＩＯＮメッセージに含まれているＲｅｑｕｉｒｅｄ ＱｏＳを検出して、ターゲットＢＳ５０４自身が上記Ｒｅｑｕｉｒｅｄ ＱｏＳに該当するサービスを提供することができるか否かを検査する。そして、上記検査の結果に対応して、ターゲットＢＳ５０４自身が提供することができるＱｏＳを付加することによって、上記ＳＣＮ−ＮＯＴＩＦＩＣＡＴＩＯＮメッセージに対する応答メッセージであるスキャン通知応答（scan notification response；以下、‘ＳＣＮ−ＮＯＴＩＦＩＣＡＴＩＯＮ−ＲＳＰ’と称する）メッセージをサービングＢＳ５０２へ送信する（ステップ５１０）。ここで、ターゲットＢＳ５０４は、上記ＳＣＮ−ＮＯＴＩＦＩＣＡＴＩＯＮメッセージに含まれた該当ＭＳ−ＩＤに該当するＭＳが初期に接続するときに、高速レンジング（fast ranging）ＩＥを通じて接続することができるようにする。この場合、ターゲットＢＳ５０４は、上記ＳＣＮ−ＮＯＴＩＦＩＣＡＴＩＯＮメッセージに含まれているＥｓｔｉｍａｔｅｄ Ｔｉｍｅ ｔｏ Ａｓｓｏｃｉａｔｉｏｎ値に対応するアップリンクマップ（以下、‘ＵＬ−ＭＡＰ’と称する）メッセージに、該当ＭＳに対する高速アップリンクレンジングＩＥ（以下、‘Ｆａｓｔ ＵＬ ｒａｎｇｉｎｇ ＩＥ’と称する）を付加する。すなわち、ターゲットＢＳ５０４は、上記Ｅｓｔｉｍａｔｅｄ Ｔｉｍｅ ｔｏ Ａｓｓｏｃｉａｔｉｏｎの値に基づいて、ＭＳ５００の接続時点を予測することができるので、上記Ｅｓｔｉｍａｔｅｄ Ｔｉｍｅ ｔｏ Ａｓｓｏｃｉａｔｉｏｎの値に該当する所定の時間の間待機した後、該当ＭＳに割り当てられるＦａｓｔ ＵＬ ｒａｎｇｉｎｇ ＩＥをＵＬ−ＭＡＰメッセージに付加することができる。
【００７１】
表７は、上記ＳＣＮ−ＮＯＴＩＦＩＣＡＴＩＯＮ−ＲＳＰメッセージのフォーマットを示す。
【００７２】
【表７】
2007536786.tif 000009
【００７３】
表７に示すように、上記ＳＣＮ−ＮＯＴＩＦＩＣＡＴＩＯＮ−ＲＳＰメッセージは、上記ＳＣＮ−ＮＯＴＩＦＩＣＡＴＩＯＮメッセージに含まれている該当ＭＳのＩＤを示す“ＭＳ ｕｎｉｑｕｅ Ｉｄｅｎｔｉｆｉｅｒ”と、該当ターゲットＢＳから該当ＭＳへ提供されることができる帯域幅を示す“ＢＷ ｅｓｔｉｍａｔｅｄ”と、該当ターゲットＢＳから該当ＭＳへ提供されることができるＱｏＳを示す“ＱｏＳ ｅｓｔｉｍａｔｅｄ”とを含む。
【００７４】
一方、ターゲットＢＳ５０４から上記ＳＣＮ−ＮＯＴＩＦＩＣＡＴＩＯＮ−ＲＳＰメッセージを受信すると、サービングＢＳ５０２は、上記ＳＣＮ−ＮＯＴＩＦＩＣＡＴＩＯＮ−ＲＳＰメッセージに含まれている情報に基づいて、ＭＳ５００がハンドオーバーする間に、正常のサービスをＭＳ５００へ提供することができるターゲットＢＳを選択する。また、サービングＢＳ５０２は、ＭＳ５００に対するサービス品質の順序で上記ターゲットＢＳを整列し、上記ターゲットＢＳの整列順序に従って上記ターゲットＢＳのリストを生成する。すると、サービングＢＳ５０２は、上記ターゲットＢＳリストの情報を上記ＭＯＢ−ＳＣＮ−ＲＳＰメッセージに付加することによって、上記ＭＯＢ−ＳＣＮ−ＲＥＱメッセージに対する応答メッセージであるスキャニング区間割当て応答（Mobile Scanning Interval Allocation Response；以下、‘ＭＯＢ−ＳＣＮ−ＲＳＰ’と称する）メッセージをＭＳ５００へ送信する（ステップ５１２）。
【００７５】
【表８】
2007536786.tif 000010
【００７６】
表８に示すように、上記ＭＯＢ−ＳＣＮ−ＲＳＰメッセージは、複数のＩＥ、すなわち、送信されるメッセージのタイプを示す“マネージメントメッセージタイプと、上記ＭＯＢ−ＳＣＮ−ＲＥＱメッセージを送信するＭＳの接続識別子（Connection ID；以下、‘ＣＩＤ’と称する）を示すＣＩＤとを含む。また、上記ＭＯＢ−ＳＣＮ−ＲＳＰメッセージのスキャンタイプの値が“０”である場合には、サービングＢＳは、該当ＭＳがアソシエーション動作を遂行することを許可しない。従って、該当ＭＳは、隣接ＢＳから送信されたパイロット信号のＣＩＮＲを測定するためのスキャニング動作を遂行する。上記スキャンタイプの値が‘１’である場合には、サービングＢＳは、該当ＭＳがアソシエーション動作を遂行することを許可する。
【００７７】
また、該当ＭＳがサービングＢＳへ上記ＭＯＢ−ＳＣＮ−ＲＥＱメッセージを送信しないとしても、上記サービングＢＳが、上記ＭＳがパイロット信号のＣＩＮＲをスキャンすることを許可するか、あるいは、アソシエーション手順の遂行を許可する場合には、上記ＭＯＢ−ＳＣＮ−ＲＳＰメッセージは、要求しなくても（unsolicitedly）送信されることができる。
【００７８】
本発明によると、サービングＢＳが割り当てたスキャニング区間の間に該当ＭＳのアソシエーション動作が遂行されるので、上記サービングＢＳは、上記ターゲットＢＳへ上記ＭＳのアソシエーション遂行の事実を通知するためのメッセージを送信する。そのようなメッセージを“ＳＣＮ−ＮＯＴＩＦＩＣＡＴＩＯＮ”メッセージと呼ぶ。しかしながら、上記ＳＣＮ−ＮＯＴＩＦＩＣＡＴＩＯＮ”メッセージが上記ターゲットＢＳに上記パイロット信号のＣＩＮＲに関する該当ＭＳのスキャニング動作を通知しないことに留意しなければならない。すなわち、上記パイロット信号のＣＩＮＲに関する該当ＭＳのスキャニング動作は、上記ＭＳと上記サービングＢＳとの間の通信を通して遂行されることができるので、本発明で説明するように、サービングＢＳがターゲットＢＳへＳＣＮ−ＮＯＴＩＦＩＣＡＴＩＯＮメッセージを送信する理由は、ただ、該当ＭＳのアソシエーション動作の遂行をターゲットＢＳに通知するためのものであることに留意しなければならない。
【００７９】
上記ＭＯＢ−ＳＣＮ−ＲＳＰメッセージを受信するＭＳ５００は、図４を参照して説明したものと同一の方式にて、該当ターゲットＢＳとスキャニング動作を遂行する。また、ＭＳ５００は、スキャニング動作を遂行するにあたって、上記アソシエーションのために、ターゲットＢＳ５０４への接続を要求することができる。この場合、ＭＳ５００は、ターゲットＢＳへレンジング要求（Ranging-Request；以下、‘ＲＮＧ−ＲＥＱ’と称する）メッセージを送信する（ステップ５１８）。図４を参照して説明するように、従来のＩＥＥＥ８０２．１６ｅ通信システムでは、ターゲットＢＳがＭＳのアソシエーション遂行をあらかじめ認知することが不可能であるので、ＭＳは、競合基盤ランダムアクセス方式を通して上記ターゲットＢＳへ上記ＲＮＧ−ＲＥＱメッセージを送信する。しかしながら、本発明によると、上記ターゲットＢＳは、サービングＢＳから送信される上記ＳＣＮ−ＮＯＴＩＦＩＣＡＴＩＯＮメッセージによって、ＭＳのアソシエーション動作をあらかじめ認知することができるので、ターゲットＢＳ５０４は、上記ＭＳが初期接続のために非競合（contention-free）接続方式を通して上記ＲＮＧ−ＲＥＱメッセージを上記ターゲットＢＳへ送信することができる方式を用いて、上記ＢＳ情報に上記アソシエーションを遂行するＭＳのためのＦａｓｔ ＵＬ ｒａｎｇｉｎｇ ＩＥを付加することによって、ＢＳ情報をブロードキャストする（ステップ５１６）。
【００８０】
次に、上記Ｆａｓｔ ＵＬ ｒａｎｇｉｎｇについて、具体的に説明する。
【００８１】
まず、ＭＳ５００は、ターゲットＢＳ５０４に接続するために、ターゲットＢＳ５０４とダウンリンク同期を獲得した後、ターゲットＢＳ５０４からＤＬ（DownLink）−ＭＡＰメッセージ及びＵＬ（Uplink）−ＭＡＰメッセージを受信する。ここで、上記ＤＬ−ＭＡＰメッセージは、ターゲットＢＳ５０４のダウンリンクに関連したパラメーターを含み、上記ＵＬ−ＭＡＰメッセージは、ターゲットＢＳ５０４のアップリンクに関連したパラメーターを含む。また、上記ＤＬ−ＭＡＰメッセージ及び上記ＵＬ−ＭＡＰメッセージは、上記ハンドオーバーを遂行するＭＳ５００のＦａｓｔ ＵＬ ｒａｎｇｉｎｇを支援するために、ターゲットＢＳ５０４が割り当てたＦａｓｔ ＵＬ ｒａｎｇｉｎｇ ＩＥを含む。ＭＳ５００にＦａｓｔ ＵＬ ｒａｎｇｉｎｇ ＩＥを割り当てる理由は、ＭＳ５００が上記パイロット信号のＣＩＮＲに関するスキャニング動作に加えて、上記アソシエーション動作を遂行することによって発生する可能性がある時間遅延を減少させるためである。ＭＳ５００は、上記Ｆａｓｔ ＵＬ ｒａｎｇｉｎｇ ＩＥに相当する非競合方式を通してターゲットＢＳ５０４との初期レンジング（initial ranging）を遂行する。表９は、上記ＵＬ−ＭＡＰメッセージに含まれるＦａｓｔ ＵＬ ｒａｎｇｉｎｇ ＩＥのフォーマットを示す。
【００８２】
【表９】
2007536786.tif 000011
【００８３】
表９に示すように、上記Ｆａｓｔ ＵＬ ｒａｎｇｉｎｇ ＩＥは、レンジング機会を有するＭＳの媒体接続制御（Medium Access Control；以下、‘ＭＡＣ’と称する）アドレスと、上記Ｆａｓｔ ＵＬ ｒａｎｇｉｎｇに対する開始オフセット値を記録する領域情報を提供するアップリンク区間使用コード（Uplink Interval Usage Code；以下、‘ＵＩＵＣ’と称する）と、ＭＳ５００に割り当てられた非競合方式のレンジング機会区間のオフセット及びシンボルの個数、サブチャンネルの個数に関連した情報とを含む。ＭＳ５００のＭＡＣアドレスは、バックボーンネットワーク（backbone network）において、サービングＢＳ５０２からターゲットＢＳ５０４へ送信されたＳＣＮ−ＮＯＴＩＦＩＣＡＴＩＯＮメッセージを通してターゲットＢＳ５０４へすでに通知された状態である。
【００８４】
上記ＵＬ−ＭＡＰメッセージを受信したＭＳ５００は、上記Ｆａｓｔ ＵＬ ｒａｎｇｉｎｇ ＩＥに対応して、ターゲットＢＳ５０４へＲＮＧ−ＲＥＱメッセージを送信し（ステップ５１８）、上記ＲＮＧ−ＲＥＱメッセージを受信したターゲットＢＳ５０４は、ＭＳ５００へ上記レンジングのための周波数、時間及び送信電力を補正するための情報を含むＲＮＧ−ＲＳＰメッセージを送信する（ステップ５２０）。図５において、ＭＳ５００が上記ＲＮＧ−ＲＳＰメッセージを受信した後に遂行される動作は、図４において、ＭＳ４０２が上記ＲＮＧ−ＲＳＰメッセージを受信した後に遂行される動作と同一であるので、その詳細な説明を省略する。
【００８５】
図６を参照して、図５に示したＭＳ５００が上記ＭＯＢ−ＳＣＮ−ＲＥＱメッセージを送信する手順について説明する。
【００８６】
図６は、本発明の実施形態に従って、図５に示したＭＳ５００が上記ＭＯＢ−ＳＣＮ−ＲＥＱメッセージを送信する手順を示す信号フローチャートである。
【００８７】
図６を参照すると、まず、ＭＳ５００は、隣接ＢＳに関する情報を探索する（ステップ６０２）。ここで、上記隣接ＢＳに関する情報は、上記隣接ＢＳからＭＳ５００へ送信されたパイロット信号のＣＩＮＲを含むことができる。すると、ＭＳ５００は、上記隣接ＢＳに関する情報に基づいて、アソシエーションを遂行する必要があるかどうかを決定する（ステップ６０４）。上記決定の結果、上記アソシエーション遂行が必要な場合、ＭＳ５００は、ステップ６０６へ進行する。ここで、ＭＳ５００は、上記隣接ＢＳのうち、上記アソシエーションを遂行するターゲットＢＳを選択する。ＭＳ５００が上記ターゲットＢＳを選択する方法は、本発明と直接的な関連がないので、その詳細な説明を省略する。ステップ６０６で、ＭＳ５００は、アソシエーション動作を遂行するための時間がＭＳ５００に割り当てられることができる方式を用いて、スキャンタイプの値を“１”に設定した後、ステップ６１０へ進行する。
【００８８】
一方、ステップ６０４で、上記アソシエーションを遂行する必要がない場合、ＭＳ５００は、ステップ６０８へ進行する。ステップ６０８で、ＭＳ５００は、上記アソシエーション動作を遂行することなく、上記隣接ＢＳに関する情報のみを探索する必要がある場合、すなわち、上記隣接ＢＳから送信された上記パイロット信号のＣＩＮＲをスキャンする必要がある場合、ＭＳ５００は、上記スキャンタイプの値を“０”に設定した後、ステップ６１０へ進行する。
【００８９】
ステップ６１０で、ＭＳ５００は、上記スキャンタイプの値を上記ＭＯＢ−ＳＣＮ−ＲＥＱメッセージに付加することによって、上記ＭＯＢ−ＳＣＮ−ＲＥＱメッセージを組み立てる。すると、ＭＳ５００は、上記ＭＯＢ−ＳＣＮ−ＲＥＱメッセージをサービングＢＳ５０２へ送信する（ステップ６１２）。
【００９０】
次いで、図７を参照して、図５に示したサービングＢＳ５０２が上記ＭＯＢ−ＳＣＮ−ＲＳＰメッセージを送信する手順について説明する。
【００９１】
図７は、本発明の実施形態に従って、図５に示したサービングＢＳ５０２が上記ＭＯＢ−ＳＣＮ−ＲＳＰメッセージを送信する手順を示すフローチャートである。
【００９２】
図７を参照すると、まず、サービングＢＳ５０２は、ＭＳ５００から上記ＭＯＢ−ＳＣＮ−ＲＥＱメッセージを受信する（ステップ７００）。その後、サービングＢＳ５０２は、上記ＭＯＢ−ＳＣＮ−ＲＥＱメッセージに含まれているスキャンタイプの値が“１”に設定されているかどうか（ｓｃａｎ ｔｙｐｅ==１）を検査する（ステップ７０２）。上記検査の結果、上記スキャンタイプの値が“１”ではないと判断されると、すなわち、上記スキャンタイプの値が“０”に設定されていると、サービングＢＳ５０２は、ステップ７２３へ進行する。ステップ７２３で、サービングＢＳ５０２は、ＭＳ５００が上記パイロット信号のＣＩＮＲに関するスキャニング動作を要求すると認知した後、ステップ７３０へ進行する。
【００９３】
一方、ステップ７０２で、検査の結果、上記スキャンタイプの値が“１”に設定されていると、サービングＢＳ５０２は、ステップ７０４へ進行する。ステップ７０４で、サービングＢＳ５０２は、ＭＳ５００が上記アソシエーション動作を要求すると認知する。従って、サービングＢＳ５０２は、上記ＭＯＢ−ＳＣＮ−ＲＥＱメッセージに含まれているターゲットＢＳのリストを確認する。サービングＢＳ５０２は、上記ターゲットＢＳのリストからターゲットＢＳ−ＩＤに該当するターゲットＢＳを確認した後、ステップ７０６へ進行する。
【００９４】
サービングＢＳ５０２は、上記ターゲットＢＳにＭＳ５００のアソシエーション動作の遂行を通知するために、上記ターゲットＢＳへ上記ＳＣＮ−ＮＯＴＩＦＩＣＡＴＩＯＮメッセージを送信する（ステップ７０６）。すると、サービングＢＳ５０２は、上記ターゲットＢＳから上記ＳＣＮ−ＮＯＴＩＦＩＣＡＴＩＯＮメッセージに対する応答メッセージであるＳＣＮ−ＮＯＴＩＦＩＣＡＴＩＯＮ−ＲＳＰメッセージを受信する（ステップ７０８）。また、サービングＢＳ５０２は、上記ＳＣＮ−ＮＯＴＩＦＩＣＡＴＩＯＮ−ＲＳＰメッセージに基づいて、上記ターゲットＢＳからＭＳへ提供されることができるサービスに対するＱｏＳを確認する（ステップ７１０）。ここで、サービングＢＳ５０２は、上記ターゲットＢＳからＭＳ５００へ提供されるサービスに対するＱｏＳを上記ＳＣＮ−ＮＯＴＩＦＩＣＡＴＩＯＮ−ＲＳＰメッセージに含まれているＲｅｑｕｉｒｅｄ ＱｏＳを使用して確認可能である。
【００９５】
その後、サービングＢＳ５０２は、上記ターゲットＢＳがＭＳ５００に対してあらかじめ定められたＱｏＳを支援することができるか否かを検査する（ステップ７１２）。上記検査の結果、上記ターゲットＢＳがＭＳ５００に対するあらかじめ定められたＱｏＳを支援することができない場合、サービングＢＳ５０２は、ステップ７１４へ進行する。ステップ７１４で、サービングＢＳ５０２は、サービスレベル予報（ＳＬＰ）ＩＥの値を“０”に設定した後（ＳＬＰ==０）、サービングＢＳ５０２は、ステップ７２８へ進行する。
【００９６】
一方、ステップ７１２で、検査の結果、上記ターゲットＢＳがＭＳ５００に対してあらかじめ定められたＱｏＳを支援することができる場合、サービングＢＳ５０２は、ステップ７１６へ進行する。ステップ７１６で、サービングＢＳ５０２は、上記ターゲットＢＳがＭＳ５００に対して上記ＱｏＳを部分的に支援することができるか否かを検査する。上記検査の結果、ステップ７１６で、上記ターゲットＢＳがＭＳ５００に対して上記ＱｏＳを部分的に支援することができる場合、サービングＢＳ５０２は、ステップ７１８へ進行する。ステップ７１８で、サービングＢＳ５０２は、上記ターゲットＢＳがＭＳ５００に対して上記ＱｏＳを部分的に支援することができるので、ＳＬＰ ＩＥの値を“１”に設定する（ＳＬＰ==１）。サービングＢＳ５０２は、ステップ７２８を遂行する。
【００９７】
一方、ステップ７１６で、検査の結果、上記ターゲットＢＳがＭＳ５００に対して上記ＱｏＳを部分的に支援することができない場合、ステップ７２０へ進行する。ステップ７２０で、サービングＢＳ５０２は、上記ターゲットＢＳがＭＳ５００に対して上記ＱｏＳのすべてを支援することができるか否かを検査する。上記検査の結果、ステップ７１６で、上記ターゲットＢＳがＭＳ５００に対して上記ＱｏＳのすべてを支援することができる場合、サービングＢＳ５０２は、ステップ７２２へ進行する。ステップ７２２で、サービングＢＳ５０２は、上記ターゲットＢＳがＭＳ５００に対してＱｏＳのすべてを支援することができるので、ＳＬＰ ＩＥの値を“２”に設定する（ＳＬＰ==２）。サービングＢＳ５０２は、ステップ７２８を遂行する。
【００９８】
一方、ステップ７２０で、検査の結果、上記ターゲットＢＳがＭＳ５００に対してすべてのＱｏＳに該当するサービスを提供することができない場合、サービングＢＳ５０２は、ステップ７２４へ進行する。ステップ７２４で、サービングＢＳ５０２は、上記ターゲットＢＳに対するＳＬＰが不可能であると判断する。従って、サービングＢＳ５０２は、ステップ７２６へ進行する。ステップ７２６で、サービングＢＳ５０２は、上記ターゲットＢＳに対するＳＬＰが不可能であるので、ＳＬＰ ＩＥの値を“３”に設定する（ＳＬＰ==３）。すると、サービングＢＳ５０２は、ステップ７２８へ進行する。
【００９９】
ステップ７２８で、サービングＢＳ５０２は、上記ＳＬＰ ＩＥ値に基づいて、上記ターゲットＢＳのリストを作成した後、ステップ７３０へ進行する。ステップ７３０で、サービングＢＳ５０２は、上記ターゲットＢＳのリスト及び上記ＭＯＢ−ＳＣＮ−ＲＥＱメッセージに対する応答情報を付加することによって、上記ＭＯＢ−ＳＣＮ−ＲＥＱメッセージに対する応答メッセージであるＭＯＢ−ＳＣＮ−ＲＳＰメッセージを組み立てた後、ステップ７３２へ進行する。ステップ７３２で、サービングＢＳ５０２は、上記ＭＯＢ−ＳＣＮ−ＲＳＰメッセージをＭＳ５００へ送信した後で終了する。
【０１００】
上記ＭＯＢ−ＳＣＮ−ＲＥＱメッセージに応じて、上記ＭＯＢ−ＳＣＮ−ＲＳＰメッセージをＭＳ５００へ送信する手順であるステップ７１０乃至ステップ７２４を参照して説明したように、ＭＳのアソシエーション動作を支援するためにターゲットＢＳを決定する動作は、本発明とは直接的な関連がない。従って、上記ＭＯＢ−ＳＣＮ−ＲＥＱメッセージに応じて、上記ＭＯＢ−ＳＣＮ−ＲＳＰメッセージをＭＳ５００へ送信する手順は、図８に示すように簡素化されることができる。
【０１０１】
図８は、本発明の他の実施形態に従って、図５に示したサービングＢＳ５０２がＭＯＢ−ＳＣＮ−ＲＳＰメッセージを送信する手順を示すフローチャートである。
【０１０２】
図８に示す手順を説明するに先立って、図７に示すようなステップと同一のステップについては、説明の便宜上、その詳細な説明を省略する。すなわち、ステップ８００乃至ステップ８１０は、ステップ７００乃至ステップ７０８及びステップ７２２とその動作が同一であり、ステップ８１４乃至ステップ８１８は、ステップ７２８乃至ステップ７３２とその動作が同一であるので、その詳細な説明を省略する。
【０１０３】
図８を参照すると、まず、サービングＢＳ５０２が上記ＳＣＮ−ＮＯＴＩＦＩＣＡＴＩＯＮ−ＲＳＰメッセージを受信すると、ステップ８１２で、サービングＢＳ５０２は、ＭＳ５００のアソシエーションを支援するためのターゲットＢＳを決定した後、ステップ８１４へ進行する。ここで、サービングＢＳ５０２は、図７を参照して説明したように、ＭＳ５００に提供可能なサービスのＱｏＳ、あるいは、ネットワーク状況に対応して決定された基準を考慮して、ＭＳ５００のアソシエーションの支援のためのターゲットＢＳを決定する。このように、ターゲットＢＳを決定したサービングＢＳ５０２は、ステップ８１４で、上記決定されたターゲットＢＳをその優先順位に従って整列してターゲットＢＳのリストを作成する。
【０１０４】
次いで、図９を参照して、図５に示したターゲットＢＳ５０４がＳＣＮ−ＮＯＴＩＦＩＣＡＴＩＯＮ−ＲＳＰメッセージを送信する動作について説明する。
【０１０５】
図９は、本発明の実施形態に従って、図５に示したターゲットＢＳ５０４がＳＣＮ−ＮＯＴＩＦＩＣＡＴＩＯＮ−ＲＳＰメッセージを送信する手順を示すフローチャートである。
【０１０６】
図９を参照すると、ステップ９００で、ターゲットＢＳ５０４は、サービングＢＳ５０２からＳＣＮ−ＮＯＴＩＦＩＣＡＴＩＯＮメッセージを受信した後、ステップ９０２へ進行する。ステップ９０２で、ターゲットＢＳ５０４は、アソシエーション動作を遂行するＭＳ５００のＭＳ−ＩＤを確認して、ステップ９０４へ進行する。ステップ９０４で、ターゲットＢＳ５０４は、ＭＳ５００がターゲットＢＳ５０４にアソシエーション動作のための接続を試みるか否かを確認するために、Ｅｓｔｉｍａｔｅｄ ｔｉｍｅ ｔｏ Ａｓｓｏｃｉａｔｉｏｎ ＩＥを確認して、ステップ９０６へ進行する。
【０１０７】
ステップ９０６で、ターゲットＢＳ５０４は、上記ＳＣＮ−ＮＯＴＩＦＩＣＡＴＩＯＮメッセージに含まれているＲｅｑｕｉｒｅｄ ＢＷと、ＳＦＩＤと、Ｒｅｑｕｉｒｅｄ ＱｏＳとを確認した後、ステップ９０８へ進行する。ステップ９０８で、ターゲットＢＳ５０４は、ターゲットＢＳ５０４自身がＭＳ５００へ提供可能なＢＷ及びＱｏＳを確認し、ステップ９１０へ進行する。ステップ９１０で、ターゲットＢＳ５０４は、上記ＢＷ及びＱｏＳリソースを予約し、ステップ９１２へ進行する。
【０１０８】
ステップ９１２で、ターゲットＢＳ５０４は、上記ＢＷ及びＱｏＳリソースに関連した情報に基づいて、上記ＳＣＮ−ＮＯＴＩＦＩＣＡＴＩＯＮメッセージに対する応答メッセージであるＳＣＮ−ＮＯＴＩＦＩＣＡＴＩＯＮ−ＲＳＰメッセージを組み立てた後、ステップ９１４へ進行する。ステップ９１４で、ターゲットＢＳ５０４は、上記ＳＣＮ−ＮＯＴＩＦＩＣＡＴＩＯＮ−ＲＳＰメッセージをサービングＢＳ５０２へ送信し、ステップ９１６へ進行する。ステップ９１６で、ターゲットＢＳ５０４は、上記ＳＣＮ−ＮＯＴＩＦＩＣＡＴＩＯＮメッセージから検出されたＥｓｔｉｍａｔｅｄ ｔｉｍｅ ｔｏ Ａｓｓｏｃｉａｔｉｏｎ ＩＥに設定されている時間が経過したか否かを検査する。上記検査の結果、ステップ９１６で、上記Ｅｓｔｉｍａｔｅｄ ｔｉｍｅ ｔｏ Ａｓｓｏｃｉａｔｉｏｎ ＩＥに設定されている時間が経過した場合、ターゲットＢＳ５０４は、ステップ９１８へ進行する。ステップ９１８で、ターゲットＢＳ５０４は、上記Ｅｓｔｉｍａｔｅｄ ｔｉｍｅ ｔｏ Ａｓｓｏｃｉａｔｉｏｎ ＩＥに設定されている時間が経過すると、ＭＳ５００が非競合基盤接続方式を通して、ターゲットＢＳ５０４に接続することができる方式を用いてＦａｓｔ ＵＬ ｒａｎｇｉｎｇ ＩＥを上記ＵＬ−ＭＡＰに割り当てた後で終了する。上述したように、ＭＳ５００がターゲットＢＳ５０４への接続を試みるか否かをあらかじめ認知した後で、ＭＳ５００がターゲットＢＳ５０４に接続すると、ターゲットＢＳ５０４は、上記Ｆａｓｔ ＵＬ ｒａｎｇｉｎｇ ＩＥをＵＬ−ＭＡＰに割り当てるので、ＭＳ５００は、上記非競合基盤接続方式を通して、ターゲットＢＳ５０４に接続することができる。
【０１０９】
次いで、図１０を参照して、図５に示したＭＳ５００がＭＯＢ−ＳＣＮ−ＲＳＰメッセージを送信する手順について説明する。
【０１１０】
図１０は、本発明の実施形態に従って、図５に示したＭＳ５００がＭＯＢ−ＳＣＮ−ＲＳＰメッセージを送信する手順を示すフローチャートである。
【０１１１】
図１０を参照すると、ステップ１０００で、ＭＳ５００は、ＭＳ５００からサービングＢＳへ送信される上記ＭＯＢ−ＳＣＮ−ＲＥＱメッセージに応じて、上記ＭＯＢ−ＳＣＮ−ＲＳＰメッセージを受信する。上記ＭＯＢ−ＳＣＮ−ＲＳＰメッセージは、ＭＳ５００が上記サービングＢＳへ上記ＭＯＢ−ＳＣＮ−ＲＥＱメッセージを送信しないとしても、上記サービングＢＳからＭＳ５００へ要求せずに（unsolicitedly）送信されることができる。すると、ステップ１００２で、ＭＳ５００は、上記ＭＯＢ−ＳＣＮ−ＲＳＰメッセージに含まれているスキャンタイプＩＥを確認した後に、ステップ１００４へ進行する。ステップ１００４で、ＭＳ５００は、上記スキャンタイプＩＥの値が“１”に設定されているか否かを検査する（ｓｃａｎ ｔｙｐｅ==１）。上記検査の結果、ステップ１００４で、上記スキャンタイプＩＥの値が“１”に設定されている場合、ＭＳ５００は、ステップ１００６へ進行する。ステップ１００６で、ＭＳ５００は、上記ＭＯＢ−ＳＣＮ−ＲＳＰメッセージに含まれている開始フレームに該当する所定の時間の間待機した後、ターゲットＢＳ５０４に対してアソシエーション動作を遂行する。ここで、ＭＳ５００は、あらかじめ割り当てられたスキャン区間、すなわち、スキャンデュレーション（scan duration）の間に上記アソシエーション動作を遂行する。上記アソシエーション動作については、すでに上述されたので、その詳細な説明を省略する。
【０１１２】
一方、上記検査の結果、ステップ１００４で、上記スキャンタイプＩＥの値が“１”に設定されていない場合、すなわち、上記スキャンタイプＩＥの値が“０”に設定されている場合、ＭＳ５００は、ステップ１００８へ進行する。ステップ１００８で、ＭＳ５００は、上記ＭＯＢ−ＳＣＮ−ＲＳＰメッセージに含まれている開始フレームに該当する所定の時間の間待機した後、上記パイロット信号のＣＩＮＲに関するスキャニング動作を遂行する。このとき、ＭＳ５００は、上記スキャン区間、すなわち、スキャンデュレーションの間に一般的なスキャニング動作を遂行する。
【０１１３】
以上、本発明の詳細について具体的な実施形態に基づき説明してきたが、本発明の範囲を逸脱しない限り、各種の変形が可能なのは明らかである。従って、本発明の範囲は、上記実施形態に限定されるものではなく、特許請求の範囲の記載及び該記載と同等なものにより定められるべきである。
【図面の簡単な説明】
【０１１４】
【図１】従来のＩＥＥＥ８０２．１６ｅ通信システムの構成を概略的に示す図である。
【図２】従来のＩＥＥＥ８０２．１６ｅ通信システムにおけるハンドオーバー動作を示す信号フローチャートである。
【図３】図２に示したネットワーク再進入動作を示す信号フローチャートである。
【図４】従来のＩＥＥＥ８０２．１６ｅ通信システムにおけるアソシエーション動作を示す信号フローチャートである。
【図５】本発明の実施形態によるＩＥＥＥ８０２．１６ｅ通信システムにおけるアソシエーション手順を示す信号フローチャートである。
【図６】本発明の実施形態による図５に示したＭＳがＭＯＢ−ＳＣＮ−ＲＥＱメッセージを送信する手順を示す信号フローチャートである。
【図７】本発明の実施形態による図５に示したサービングＢＳがＭＯＢ−ＳＣＮ−ＲＳＰメッセージを送信する手順を示すフローチャートである。
【図８】本発明の他の実施形態による図５に示したサービングＢＳがＭＯＢ−ＳＣＮ−ＲＳＰメッセージを送信する手順を示すフローチャートである。
【図９】本発明の実施形態による図５に示したターゲットＢＳがＳＣＮ−ＮＯＴＩＦＩＣＡＴＩＯＮ−ＲＳＰメッセージを送信する手順を示すフローチャートである。
【図１０】本発明の実施形態による図５に示したＭＳがＭＯＢ−ＳＣＮ−ＲＳＰメッセージを送信する手順を示すフローチャートである。
【符号の説明】
【０１１５】
１００    セル
１１０    基地局（Base Station：ＢＳ）
１４０    ＢＳ
１５０    セル
１１１，１１３，１３０，１５１，１５３    ＭＳ
２０２    ＭＳ
２０４    サービングＢＳ
２０６    第１のターゲットＢＳ
２０８    第２のターゲットＢＳ（新規サービングＢＳ）
４０２    ＭＳ
４０４    サービングＢＳ
４０６    第２のＢＳ（ＢＳ＃２：ターゲットＢＳ）
５００    ＭＳ
５０２    第１の基地局（ＢＳ＃１：サービングＢＳ）
５０４    第２のＢＳ（ＢＳ＃２：ターゲットＢＳ）
【図１】
2007536786.tif 000012
【図２】
2007536786.tif 000013
【図３】
2007536786.tif 000014
【図４】
2007536786.tif 000015
【図５】
2007536786.tif 000016
【図６】
2007536786.tif 000017
【図７】
2007536786.tif 000018
【図８】
2007536786.tif 000019
【図９】
2007536786.tif 000020
【図１０】
2007536786.tif 000021
【国際調査報告】
2007536786.tif 000022
2007536786.tif 000023